(57)【要約】      （修正有）【課題】回転原理に無理がなく、耐久性のある構造を有する磁力回転発電装置を提供する。【解決手段】主円盤回転車１と副円盤回転車２の主、副各円盤部１ａの区分円周を、２等区分し、各区分点に、各々、主、副各傾斜台を固定し、その各台上に、主、副各突出形磁石を固定する。主円盤部１ａ、の区分点を共通中心線０−０の最接近点位置とし、副円盤部２ａの区分点は、共通中心線０−０の最接近点より、回転方向に磁極面巾と、同じ巾だけ、ずらして、笠歯車を噛み合わせ、主円盤回転車１と副円盤回転車２の各主軸を装置容器の軸受で支持する。各主、副突出形磁石が回転近接する時、反発力と吸引力により回転を得て、区分点が、連続して移動回転する。発電機を設け、主軸と連結し発電する装置。【選択図】図２
2011125209.tif 000002
【特許請求の範囲】
【請求項１】
主円盤回転車と副円盤回転車は、同一直径の円盤部と、円盤面中心部の下部をボス部とし、各円盤面中心にあく軸穴に主軸を通し、キー等により固定する。又、各円盤部外周部下部に、円盤部直径より、少し、大きめで同一直径、同一歯数としたの笠歯車を円盤部外周下部面にボルト等で固定とする。笠歯車のピッチ円錐角は、１５度より、５度間隔で、２０度、２５度、３０度より任意に選択する事ができる。主、副各円盤部面外周より、少し内側に、同一直径の区分円周ｇを描き、主に、２区分、３区分、４区分より、任意に選択した区分数で、区分円周ｇを等区分し各区分点とする。但し、対向区分以外の磁力が回転力に、悪影響を与えないために、２区分より、区分数を１区分増やす毎に、各区分点上に設ける磁石の磁極面巾は、回転可能範囲で１５〜２０パーセント程度小さくする。主円盤部面の区分円周ｇの各区分点より、回転方向に、接線ｆを引き、接線ｆを基準として、笠歯車のピッチ円錐角ｘが１５度の時、傾斜角αを６０度として、傾斜線ｊを区分点より引き、又、この傾斜線ｊに対する直角線ｋを区分点より引く。又、５度間隔で、笠歯車のピッチ円錐角ｘが２０度、２５度、３０度の時、各々、傾斜角αは、６０度とし、各々、傾斜線ｊを区分点より引き、又、この傾斜線ｊに対する直角線ｋを区分点より引く。又、副円盤部面の区分円周ｇの各区分点より、回転方向に、接線ｆを引き、接線ｆを基準として、笠歯車のピッチ円錐角ｘが１５度の時、傾斜角βを９０度として、傾斜線ｊを区分点より引き、又、この傾斜線ｊに対する直角線ｋを区分点より引く。又、笠歯車のピッチ円錐角ｘが２０度の時、βを８５度、笠歯車のピッチ円錐角ｘが２５度の時、βを８０度、笠笠歯車のピッチ円錐角ｘが３０度の時、βを７５度とし、各々、傾斜線ｊを区分点より引き、又、この傾斜線ｊに対する直角線ｋを区分点より引く。主円盤部面の各区分点の傾斜線ｊ上と直角線ｋ上には、主傾斜台の底面２辺位置として、主円盤部面に固定される。主傾斜台は、一体成形であり、分解できないが、分解できるとして説明すると、高さ部分を構成する、平面台ブロックＡの上に、傾斜部分を構成する傾斜台ブロック部分が重なった形状を一体成形した構造であり、更に、傾斜ブロック部分は、傾斜ブロックＢの上に傾斜ブロックＣが重なった形状とする。平面台ブロックＡは、平面形が矩形であり、高さは、主突出形磁石の磁極面巾にｓｉｎｘを乗じた積の高さとする。ｘ度は、選択したピッチ円錐角ｘの角度。平面台ブロックＡの底面角を各区分点位置とし、又、底面の１辺は、傾斜線ｊ上に合わせ、もう１辺は、直角線ｋ線上に合わせて、主円盤面に固定する。傾斜ブロックＢは、平面台ブロックＡ面上の区分点位置角を、傾斜下端角位置で、直角線ｋ位置上における、台面縁を傾斜下端位置とし、片側の傾斜側面下端は、傾斜線ｊ位置上の縁として、上昇傾斜する。又、傾斜ブロックＣは、傾斜線ｊ位置側面の傾斜ブロックＢ面上の縁を傾斜下端とし、傾斜線ｊ位置側面の台面上縁を片側の傾斜側面下端として、上昇傾斜する。傾斜ブロックＢの傾斜角度は、選択したピッチ円錐角ｘ角度と同角度とする。傾斜ブロックＣの傾斜角度は、選択したピッチ円錐角ｘ角度の２分の１角度とする。傾斜ブロックＣ上面の傾斜線ｊ方向と、直角線ｋ方向の寸法は、主突出形磁石の磁極面巾ｔ１と同じ寸法巾とする。主突出形磁石の本体磁石形状は、磁極面を矩形とし、磁極面巾を２区分の時、区分円周ｇ半径の約３分の１程度とする。磁極面間方向の長さ寸法は、磁極面巾と同一寸法とする。区分点位置の磁極面を前磁極面と称し、反対側の磁極面を後磁極面と称する。前磁極面には、区分点側端に、前突出部分が突きでて、後磁極面には、区分点側の反対側端に、後突出部分が突き出る。前突出部分と後突出部分の巾は、主突出形磁石の磁極面巾の３分の１とし、突出長さは、主突出形磁石の磁極面巾の３分の２とする。主突出形磁石は、前突出部分の付け根端を区分点位置で、前磁極面下端を傾斜線ｊ位置とし、又、磁極面間方向側面下端を直角線ｋ位置として、主傾斜台面に固定する。磁極面の高さｈ１は、磁極面巾の２〜３倍程度の高さとする。前突出部分と後突出部分は、本体磁石形状と別々に作り、接続する。汎用のフェライト、ネオジュウム磁石では、矩形の磁極面の２辺は、長さと巾であり、高さ方向は、磁極面間方向となる。汎用では、長さは、巾程度である。一方、本発明では、汎用の磁極面の長さ方向を高さ方向とする。このため、長さを巾の２〜３倍に製作上できないとすれば、磁極面を２〜３段として積み重ねて高さ方向を高くしなければならない。この場合、主突出形磁石の底面形と同じ型で、厚さ２〜４ｍｍの鉄板を積み重ねの間に敷き、接着剤で固定し、重ねる。これは、同一磁極の本体磁極面の反発力を消去して接続を容易にし、又、前突出部分と後突出部分の接続も容易にする。又、磁場の流れを良く安定して、回転力を強力にする。各区分点の磁極は、同一磁極、又は、各区分点毎に、Ｎ・Ｓ磁極を変える配置でも良い。又、Ｎ・Ｓ磁極をランダムに配置しても良い。主傾斜台上に固定された主突出形磁石上端の固定は、主天盤中心にあく軸穴を主軸に通し、主天盤ボス部のボルトにより、主天盤は、主軸に固定され、この主天盤の下部面に主連結部を固定し、主連結部の枠で主突出形磁石は、固定される。上部主天盤の半径は、主円盤より、主突出形磁石の高さに、ｔａｎｘを乗じた積だけ大となる。主連結部の形状は、主傾斜台とほぼ、同一形状の一体成形構造であり、異なる点は、各傾斜ブロック部分の傾斜方向が、各々、水平に、１８０度回転した位置となっている。こうした構成により、主円盤回転車とする。副円盤部面の各区分点の傾斜線ｊ上と直角線ｋ上には、副傾斜台の底面２辺位置として、副傾斜台が、副円盤部面に固定される。副傾斜台は、一体成形であり、分解できないが、分解できるとして説明すると、高さ部分を構成する平面台ブロックＤの上に、傾傾斜部分を構成する傾斜台ブロック部分が重なった形状を一体成形した構造であり、更に、傾斜ブロック部分は、傾斜ブロックＥの上に傾斜ブロックＦが重なった形状とする。傾斜平面台ブロックＤは、平面形が矩形であり、高さは、主傾斜台における平面台ブロックＡの高さと同じ高さとする。平面台ブロックＤの底面角を各区分点位置とし、又、底面の１辺は、傾斜線ｊ上に合わせ、もう１辺は、直角線ｋ線上に合わせて、副円盤部面に固定する。傾斜ブロックＥは、平面台ブロックＤ面上の区分点位置角上に傾斜下端角位置で、直角線ｋ位置側面における、台面上の縁を傾斜下端位置とし、傾斜線ｊ位置側面の台面上縁を片側の傾斜側面下端として、上昇傾斜する。傾斜ブロックＦは、平面台ブロックＤ面上の区分点位置角上に、傾斜上端角を合わせ、傾斜線ｊ位置側面における、台面上の縁を傾斜上端位置とし、直角線ｋ位置側面の台面上縁を片側の傾斜側面下端として、下降傾斜する。傾斜ブロックＥは、選択したピッチ円錐角ｘ角度と同角度とする。傾斜ブロックＦの傾斜角度は、の２分の１角度とする。選択したピッチ円錐角ｘ角度ブロックＦ上面の傾斜線ｊ方向と、直角線ｋ方向の寸法は、副主突出形磁石の磁極面巾と同じ寸法巾とする。副突出形磁石の本体磁石形状の磁極面の巾、高さ、磁極面間方向の長さは、全て、主突出形磁石の磁極面の巾高さ  磁極面間方向  長さ、と同一寸法とする。又、区分点位置側に、位置する磁極面を前磁極面と称し、反対側の磁極面を後磁極面と称する。前磁極面には、区分点側端に、前突出部分が突き出て、後磁極面には、同じく、区分点位置側の反対側端に、後突出部分が突き出る。前突出部分と後突出部分の巾と長さは、主突出形磁石と同じであり、巾は、副突出形磁石の磁極面巾の３分の１の寸法とし、突出長さは、磁極面巾の３分の２の寸法とする。副突出形磁石は、前突出部分の付け根端を区分点位置で、前磁極面下端を傾斜線ｊ位置とし、又、磁極面間方向側面下端を直角線ｋ位置として、副傾斜台面に固定する。前突出部分と後突出部分は、本体磁石形状と別々に作った後、接続する。汎用のフェライト、ネオジュウム磁石では、矩形の磁極面の２辺は、長さと巾であり、高さ方向は、磁極面間方向となる。汎用では、長さは、巾程度である。一方、本発明では、汎用の磁極面の長さ方向を高さ方向とする。長さを巾の２〜３倍に製作上できないとすれば、磁極面を２〜３段として積み重ねて高さ方向を高くする。この場合、副突出形磁石の底面形と同じ型で、厚さ２〜４ｍｍの鉄板を積み重ねの間に敷き、接着剤で固定し、重ねる。これは、同一磁極の本体磁極面の反発力を消去して接続を容易にし、又、前突出部分と後突出部分の接続も容易にする。又、磁場の流れを良く安定して、回転力を強力にする。各区分点の前磁極面の磁極は、主円盤の各区分点の表磁極が同一Ｎ磁極であれば、同一のＮ磁極で配置し、主円盤３の表磁極が各区分点毎にＮ・Ｓ磁極を変えれば、同じく、各区分点毎に同一磁極となるようＮ・Ｓ磁極を変える。主円盤がＮ・Ｓ磁極をランダムに配置した時、同じ順序でランダムに、同一磁極としてＮ・Ｓ磁極を配置する。傾斜台上に固定された主突出形磁石上端の固定は、主天盤中心にあく軸穴を主軸に通し、主天盤ボス部のボルトにより、主天盤は、主軸に固定され、この主天盤の下部面に主連結部を固定し、主連結部の枠で主突出形磁石は、固定される。上部主天盤の半径は、主円盤より、主突出形磁石の高さに、ｔａｎｘを乗じた積だけ大となる。主連結部の形状は、主傾斜台とほぼ、同一形状の一体成形構造であり、異なる点は、各傾斜ブロック部分の傾斜方向が、各々、水平に、１８０度回転した位置となっている。こうした構成により、主円盤回転車とする。笠歯車と主、副各円盤部は、磁力に反応しない耐久性のあるステンレス材質としなければならない��又、大型機種の超電導電磁石の場合は、主軸も磁力に反応しないステンレス等の材質としなければならない。主円盤回転車と副円盤回転車は、装置容器の軸受に、各主軸を支持し、笠歯車を噛み合わせる。噛み合わせ位置は、主円盤部の区分点を共通中心線０−０線上の最接近点に位置させ、副円盤部の区分点は、同じく共通中心線０−０線上の最接近点位置より、回転方向に、主突出形磁石の磁極面巾ｈ１と同じ巾をずらした位置として、笠歯車を噛み合わせる。この時、主円盤の各区分点と対応する副円盤の各磁極は、同一磁極とする。主円盤回転車の主軸は、装置容器外で、ディスクブレーキ装置を付ける。又、装置容器上に、基礎取り付け台を固定し、その台上に、クラッチを固定する。ディスクブレーキ装置を出た主軸に、軸継手接続し、軸継手を出た軸は、クラッチに接続する。更に、基礎取り付け台上に、発電機取り付け台を固定し、台上に、発電機を固定し、発電機軸は、クラッチに接続する。又、副回転笠歯車の副天盤の上面に、フライホイールを設ける。こうした構造を特徴とする磁力回転発電装置。
【請求項２】
主突出形磁石６と副突出形磁石７を超電導電磁石とする時、各々、突出形磁石形状に巻いたコイルを突出形磁石形状のヘリウム容器に入れ封じ、その上部に、主連結部と副連結部を固定し、その上部面に、ヘリウム容器に入った冷凍機を設ける。各ヘリウム容器より、ヘリウムガス配管を再液化用冷凍機のヘリウム容器に接続する。こうした全体を真空容器で覆った構成を超電導電磁石の主突出形磁石副突出形磁石とする。主、副各突出形磁石上端の固定は、主、副各天盤をその中心にあく軸穴を主軸に通し、ボス部のボルトにより、主軸に固定し、冷凍機部の真空容器を主天盤と副天盤に下部を固定する。主円盤回転車と副円盤回転車内に冷却用の冷凍機の電力は、装置容器外から供給するために、主軸に円筒形電通接触面を通し、円筒形電通接触面に接する、ブラシ保持器は、装置容器側の軸受保持部分に付ける。ブラシは、プラス側とマイナス側が付いている。冷凍機の性能が、遠心力により、影響を与える時は、発電機とクラッチの間に、変速機を設けて主、副各円盤回転車の回転を下げる。こうした構造を特徴とする請求項１記載の磁力回転発電装置。
【発明の詳細な説明】
【技術分野】
【０００１】この発明は、一対の噛み合う笠歯車上の円盤面周囲区分点に、磁石を固定し、磁石相互間に、作用する吸引力と、反発力とによって回転力とし、発電機を回転させ電力を得る装置であり、電気自動車、船舶、鉄道、ロボット、宇宙航空、農業用、公共用、家庭用等の電源として用いる。
【背景技術】
【０００２】従来、我国の発明家湊弘平氏により、一対の平歯車を噛み合わせ、上に、円盤面を付け、円盤面周囲に磁石を固定し、磁石の反発力によって回転力とし、発電機を回転し、電力を得る磁力発電装置が、１９８７年頃にテレビ等で発表され、永久機関の可能性を示した。１９８７年になると、雑誌に、実用化間近で、回転する装置の写真付きの記事が載っている。しかし、耐久性に問題があったせいか、実用化はされなかった。しかし、その後、回転円盤面に配置した磁石と、固定した電磁石による磁力発電装置を発明し、４０か国以上の国際特許を得ている。他に、米国の発明家トロイ・リード氏の磁力発電装置がある。これは、実用として完成されていて、かなりの発電量がある。しかし、装置が大型で複雑であり、耐久性も未知数である。
【発明の開示】
【発明が解決しょうとする課題】
【０００３】主円盤回転車と副円盤回転車は、笠歯車で噛み合わせ、各円盤面の外周囲を２区分、又は、３区分、４区分で等区分とし、その各位置に磁石数を配置固定する為、構造がシンプルであり、超小型装置や、逆に、超大型装置が可能であり、永久磁石のみだけではなく、超電導電磁石を用いて、大電力を得る事ができる構造とする。回転原理に無理がなく、高精度にする事無く回転が可能の為、耐久性のある構造とする。対向する磁石の吸引力と、反発力の全てを回転力に転換する回転原理として、強力回転力とする。
【課題を解決するための手段】
【０００４】主円盤回転車と副円盤回転車は、同一直径の円盤部と、円盤面中心部の下部をボス部とし、各円盤面中心にあく軸穴に主軸を通し、キー等により固定する。又、各円盤部外周部下部に、円盤部直径より、少し、大きめで同一直径、同一歯数としたの笠歯車を円盤部外周下部面にボルト等で固定とする。笠歯車のピッチ円錐角は、１５度より、５度間隔で、２０度、２５度、３０度より任意に選択する事ができる。主、副各円盤部面外周より、少し内側に、同一直径の区分円周ｇを描き、主に、２区分、３区分、４区分より、任意に選択した区分数で、区分円周ｇを等区分し各区分点とする。但し、対向区分以外の磁力が回転力に、悪影響を与えないために、２区分より、区分数を１区分増やす毎に、各区分点上に設ける磁石の磁極面巾は、回転可能範囲で１５〜２０パーセント程度小さくする。
【０００５】主円盤部面の区分円周ｇの各区分点より、回転方向に、接線ｆを引き、接線ｆを基準として、笠歯車のピッチ円錐角ｘが１５度の時、傾斜角αを６０度として、傾斜線ｊを区分点より引き、又、この傾斜線ｊに対する直角線ｋを区分点より引く。又、５度間隔で、笠歯車のピッチ円錐角ｘが２０度、２５度、３０度の時、各々、傾斜角αは、６０度とし、各々、傾斜線ｊを区分点より引き、又、この傾斜線ｊに対する直角線ｋを区分点より引く。
【０００６】又、副円盤部面の区分円周ｇの各区分点より、回転方向に、接線ｆを引き、接線ｆを基準として、笠歯車のピッチ円錐角ｘが１５度の時、傾斜角βを９０度として、傾斜線ｊを区分点より引き、又、この傾斜線ｊに対する直角線ｋを区分点より引く。又、笠歯車のピッチ円錐角ｘが２０度の時、βを８５度、笠歯車のピッチ円錐角ｘが２５度の時、βを８０度、笠笠歯車のピッチ円錐角ｘが３０度の時、βを７５度とし、各々、傾斜線ｊを区分点より引き、又、この傾斜線ｊに対する直角線ｋを区分点より引く。
【０００７】主円盤部面の各区分点の傾斜線ｊ上と直角線ｋ上には、主傾斜台の底面２辺位置として、主円盤部面に固定される。主傾斜台は、一体成形であり、分解できないが、分解できるとして説明すると、高さ部分を構成する、平面台ブロックＡの上に、傾斜部分を構成する傾斜台ブロック部分が重なった形状を一体成形した構造であり、更に、傾斜ブロック部分は、傾斜ブロックＢの上に傾斜ブロックＣが重なった形状とする。平面台ブロックＡは、平面形が矩形であり、高さは、主突出形磁石の磁極面巾にｓｉｎｘを乗じた積の高さとする。ｘ度は、選択したピッチ円錐角ｘの角度。平面台ブロックＡの底面角を各区分点位置とし、又、底面の１辺は、傾斜線ｊ上に合わせ、もう１辺は、直角線ｋ線上に合わせて、主円盤面に固定する。
【０００８】傾斜ブロックＢは、平面台ブロックＡ面上の区分点位置角を、傾斜下端角位置で、直角線ｋ位置上における、台面縁を傾斜下端位置とし、片側の傾斜側面下端は、傾斜線ｊ位置上の縁として、上昇傾斜する。又、傾斜ブロックＣは、傾斜線ｊ位置側面の傾斜ブロックＢ面上の縁を傾斜下端とし、傾斜線ｊ位置側面の台面上縁を片側の傾斜側面下端として、上昇傾斜する。傾斜ブロックＢの傾斜角度は、選択したピッチ円錐角ｘ角度と同角度とする。傾斜ブロックＣの傾斜角度は、選択したピッチ円錐角ｘ角度の２分の１角度とする。傾斜ブロックＣ上面の傾斜線ｊ方向と、直角線ｋ方向の寸法は、主突出形磁石の磁極面巾ｔ１と同じ寸法巾とする。
【０００９】主突出形磁石の本体磁石形状は、磁極面を矩形とし、磁極面巾を２区分の時、区分円周ｇ半径の約３分の１程度とする。磁極面間方向の長さ寸法は、磁極面巾と同一寸法とする。区分点位置の磁極面を前磁極面と称し、反対側の磁極面を後磁極面と称する。前磁極面には、区分点側端に、前突出部分が突きでて、後磁極面には、区分点側の反対側端に、後突出部分が突き出る。前突出部分と後突出部分の巾は、主突出形磁石の磁極面巾の３分の１とし、突出長さは、主突出形磁石の磁極面巾の３分の２とする。主突出形磁石は、前突出部分の付け根端を区分点位置で、前磁極面下端を傾斜線ｊ位置とし、又、磁極面間方向側面下端を直角線ｋ位置として、主傾斜台面に固定する。磁極面の高さｈ１は、磁極面巾の２〜３倍程度の高さとする。
【００１０】前突出部分と後突出部分は、本体磁石形状と別々に作り、接続する。汎用のフェライト、ネオジュウム磁石では、矩形の磁極面の２辺は、長さと巾であり、高さ方向は、磁極面間方向となる。汎用では、長さは、巾程度である。一方、本発明では、汎用の磁極面の長さ方向を高さ方向とする。このため、長さを巾の２〜３倍に製作上できないとすれば、磁極面を２〜３段として積み重ねて高さ方向を高くしなければならない。この場合、主突出形磁石の底面形と同じ型で、厚さ２〜４ｍｍの鉄板を積み重ねの間に敷き、接着剤で固定し、重ねる。これは、同一磁極の本体磁極面の反発力を消去して接続を容易にし、又、前突出部分と後突出部分の接続も容易にする。又、磁場の流れを良く安定して、回転力を強力にする。各区分点の磁極は、同一磁極、又は、各区分点毎に、Ｎ・Ｓ磁極を変える配置でも良い。又、Ｎ・Ｓ磁極をランダムに配置しても良い。
【００１１】主傾斜台上に固定された主突出形磁石上端の固定は、主天盤中心にあく軸穴を主軸に通し、主天盤ボス部のボルトにより、主天盤は、主軸に固定され、この主天盤の下部面に主連結部を固定し、主連結部の枠で主突出形磁石は、固定される。上部主天盤の半径は、主円盤より、主突出形磁石の高さに、ｔａｎｘを乗じた積だけ大となる。主連結部の形状は、主傾斜台とほぼ、同一形状の一体成形構造であり、異なる点は、各傾斜ブロック部分の傾斜方向が、各々、水平に、１８０度回転した位置となっている。こうした構成により、主円盤回転車とする。
【００１２】副円盤部面の各区分点の傾斜線ｊ上と直角線ｋ上には、副傾斜台の底面２辺位置として、副傾斜台が、副円盤部面に固定される。副傾斜台は、一体成形であり、分解できないが、分解できるとして説明すると、高さ部分を構成する平面台ブロックＤの上に、傾傾斜部分を構成する傾斜台ブロック部分が重なった形状を一体成形した構造であり、更に、傾斜ブロック部分は、傾斜ブロックＥの上に傾斜ブロックＦが重なった形状とする。傾斜平面台ブロックＤは、平面形が矩形であり、高さは、主傾斜台における平面台ブロックＡの高さと同じ高さとする。平面台ブロックＤの底面角を各区分点位置とし、又、底面の１辺は、傾斜線ｊ上に合わせ、もう１辺は、直角線ｋ線上に合わせて、副円盤部面に固定する。
【００１３】傾斜ブロックＥは、平面台ブロックＤ面上の区分点位置角上に傾斜下端角位置で、直角線ｋ位置側面における、台面上の縁を傾斜下端位置とし、傾斜線ｊ位置側面の台面上縁を片側の傾斜側面下端として、上昇傾斜する。傾斜ブロックＦは、平面台ブロックＤ面上の区分点位置角上に、傾斜上端角を合わせ、傾斜線ｊ位置側面における、台面上の縁を傾斜上端位置とし、直角線ｋ位置側面の台面上縁を片側の傾斜側面下端として、下降傾斜する。傾斜ブロックＥは、選択したピッチ円錐角ｘ角度と同角度とする。傾斜ブロックＦの傾斜角度は、の２分の１角度とする。選択したピッチ円錐角ｘ角度ブロックＦ上面の傾斜線ｊ方向と、直角線ｋ方向の寸法は、副主突出形磁石の磁極面巾と同じ寸法巾とする。
【００１４】副突出形磁石の本体磁石形状の磁極面の巾、高さ、磁極面間方向の長さは、全て、主突出形磁石の磁極面の巾高さ  磁極面間方向  長さ、と同一寸法とする。又、区分点位置側に、位置する磁極面を前磁極面と称し、反対側の磁極面を後磁極面と称する。前磁極面には、区分点側端に、前突出部分が突き出て、後磁極面には、同じく、区分点位置側の反対側端に、後突出部分が突き出る。前突出部分と後突出部分の巾と長さは、主突出形磁石と同じであり、巾は、副突出形磁石の磁極面巾の３分の１の寸法とし、突出長さは、磁極面巾の３分の２の寸法とする。副突出形磁石は、前突出部分の付け根端を区分点位置で、前磁極面下端を傾斜線ｊ位置とし、又、磁極面間方向側面下端を直角線ｋ位置として、副傾斜台面に固定する。
【００１５】前突出部分と後突出部分は、本体磁石形状と別々に作った後、接続する。汎用のフェライト、ネオジュウム磁石では、矩形の磁極面の２辺は、長さと巾であり、高さ方向は、磁極面間方向となる。汎用では、長さは、巾程度である。一方、本発明では、汎用の磁極面の長さ方向を高さ方向とする。長さを巾の２〜３倍に製作上できないとすれば、磁極面を２〜３段として積み重ねて高さ方向を高くする。この場合、副突出形磁石の底面形と同じ型で、厚さ２〜４ｍｍの鉄板を積み重ねの間に敷き、接着剤で固定し、重ねる。これは、同一磁極の本体磁極面の反発力を消去して接続を容易にし、又、前突出部分と後突出部分の接続も容易にする。又、磁場の流れを良く安定して、回転力を強力にする。各区分点の前磁極面の磁極は、主円盤の各区分点の表磁極が同一Ｎ磁極であれば、同一のＮ磁極で配置し、主円盤３の表磁極が各区分点毎にＮ・Ｓ磁極を変えれば、同じく、各区分点毎に同一磁極となるようＮ・Ｓ磁極を変える。主円盤がＮ・Ｓ磁極をランダムに配置した時、同じ順序でランダムに、同一磁極としてＮ・Ｓ磁極を配置する。
【００１６】傾斜台上に固定された主突出形磁石上端の固定は、主天盤中心にあく軸穴を主軸に通し、主天盤ボス部のボルトにより、主天盤は、主軸に固定され、この主天盤の下部面に主連結部を固定し、主連結部の枠で主突出形磁石は、固定される。上部主天盤の半径は、主円盤より、主突出形磁石の高さに、ｔａｎｘを乗じた積だけ大となる。主連結部の形状は、主傾斜台とほぼ、同一形状の一体成形構造であり、異なる点は、各傾斜ブロック部分の傾斜方向が、各々、水平に、１８０度回転した位置となっている。こうした構成により、主円盤回転車とする。
【００１７】笠歯車と主、副各円盤部は、磁力に反応しない耐久性のあるステンレス材質としなければならない。又、大型機種の超電導電磁石の場合は、主軸も磁力に反応しないステンレス等の材質としなければならない。
【００１８】主円盤回転車と副円盤回転車は、装置容器の軸受に、各主軸を支持し、笠歯車を噛み台わせる。噛み合わせ位置は、主円盤部の区分点を共通中心線０−０線上の最接近点に位置させ、副円盤部の区分点は、同じく共通中心線０−０線上の最接近点位置より、回転方向に、主突出形磁石の磁極面巾ｈ１と同じ巾をずらした位置として、笠歯車を噛み合わせる。この時、主円盤の各区分点と対応する副円盤の各磁極は、同一磁極とする。主円盤回転車の主軸は、装置容器外で、ディスクブレーキ装置を付ける。又、装置容器上に、基礎取り付け台を固定し、その台上に、クラッチを固定する。ディスクブレーキ装置を出た主軸に、軸継手接続し、軸継手を出た軸は、クラッチに接続する。更に、基礎取り付け台上に、発電機取り付け台を固定し、台上に、発電機を固定し、発電機軸は、クラッチに接続する。又、副回転笠歯車の副天盤の上面に、フライホイールを設ける。こうした構造を特徴の磁力回転発電装置。
【００１９】主突出形磁石６と副突出形磁石７を超電導電磁石とする時、各々、突出形磁石形状に巻いたコイルを突出形磁石形状のヘリウム容器に入れ封じ、その上部に、主連結部と副連結部を固定し、その上部面に、ヘリウム容器に入った冷凍機を設ける。各ヘリウム容器より、ヘリウムガス配管を再液化用冷凍機のヘリウム容器に接続する。こうした全体を真空容器で覆った構成を超電導電磁石の主突出形磁石副突出形磁石とする。主、副各突出形磁石上端の固定は、主、副各天盤をその中心にあく軸穴を主軸に通し、ボス部のボルトにより、主軸に固定し、冷凍機部の真空容器を主天盤と副天盤に下部を固定する。主円盤回転車と副円盤回転車内に冷却用の冷凍機の電力は、装置容器外から供給するために、主軸に円筒形電通接触面を通し、円筒形電通接触面に接する、ブラシ保持器は、装置容器側の軸受保持部分に付ける。ブラシは、プラス側とマイナス側が付いている。冷凍機の性能が、遠心力により、影響を与える時は、発電機とクラッチの間に、変速機を設けて主、副各円盤回転車の回転を下げる。こうした構造を特徴とする磁力回転発電装置。
【発明の効果】
【００２０】主突出形磁石と副突出形磁石の磁極面形を矩形であるため、又、配置する磁石数を少なくでき、又、磁場が安定した構成であるため、噛み合わせ笠歯車の１歯が欠けない限り回転出来るため、超電磁極面巾導電磁石の製作も可能となり、主円盤直径を２ｍ〜４ｍの大型装置とする事も可能であり、大電力発電が可能となる。逆に、配置する磁石数を少なくできるので、フェライト磁石やネオジュウム磁石では、主円盤直径を数ｃｍの超小型とする事が出来る。
【発明を実施するための最良の形態】
【００２１】以下、本発明の実施の形態を図面に基づき詳細に説明する。【００２２】図１〜図１４は本発明の第１の実施の形態に係る図である。図１は発明本体図２のＢ−Ｂ線方向の主円盤回転車部分断面と、Ｃ−Ｃ線方向の副円盤回転車部分の断面であり、各々、主突出形磁石下端面部分と、副突出形磁石下端面部分を透視し、合成した断面透視平面図。（但し、磁石底面は、傾斜台上に位置する為、位置が変化するが、多少である為、省略し、平面にあるとして描いている）図２は、発明本体図１のＡ−Ａ線方向の断面立面図。図３は、発明本体図２のＤ−Ｄ線方向の断面側面図である。図４は、区分点位置における主傾斜台４の斜視図。図５は、主傾斜台４を各ブロックに分解した時の斜視図。図６は、主突出形磁石６の斜視図。図７は、継ぎ目用鉄板の斜視図。図８は、主傾斜台４に、主突出形磁石６を固定し、区分点位置とした時の斜視図。図９は、主連結部１１の斜視図である。図１０は、区分点位置における副傾斜台５の斜視図。図１１は、副傾斜台５の各ブロックに分解した時の斜視図。図１２は、副突出形磁石７の斜視図。図１３は、副傾斜台上に、副突出形磁石を固定し、区分点位置とした時の斜視図。図１４は、副連結部の斜視図である。【００２３】図２に示すように、主円盤回転車１と副円盤回転車２は、同一直径の主、副各円盤面部１ａ，２ａと、主、副各円盤部中心部の下部をボス部とし、円盤面中心にあく軸穴に主軸８を通し、キー、ボルト等により固定し、各円盤部１ａ，２ａ外周部下部に、円盤直径より、少し、大きめで同一直径、同一歯数としたの笠歯車３を各々、主、副各円盤部１ａ，２ａ外周下部面にボルト等で固定する。笠歯車のピッチ円錐角ｘは、１５度の角度とする。図１にあるように、主、副各円盤部１ａ，２ａ各面外周より、少し内側に、同一直径の区分円周ｇを描き、２区分数で、区分円周ｇを等区分し各区分点ｅとする。【００２４】図１にあるように、主円盤部１ａ面の区分円周ｇの各区分点より、回転方向に、接線ｆを引き、接線ｆを基準として、６０度の傾斜角αで、傾斜線ｊを区分点より引き、又、この傾斜線ｊに対する、直角線ｋを区分点より回転方向に引き、描く。【００２５】又、図１にあるように、副円盤部２ａ面の区分円周ｇの各区分点より、回転方向に、接線ｆを引き、接線ｆを基準として、９０度の傾斜角βで、傾斜線ｊを区分点より引き、又、この傾斜線ｊに対する直角線ｋを区分点より引き、描く。【００２６】主円盤部１ａ面の各区分点には、主傾斜台４が、底面角を区分点位置とし、底面２辺を傾斜線ｊ上と直角線ｋ上として、主円盤部１ａ面上に、固定される。主傾斜台４上には主突出形磁石６を固定する。【００２７】図４〜図５にあるように、主傾斜台４は、高さ部分を構成する平面台ブロック４−Ａの上に、傾斜部分を構成する傾斜台ブロック部分が重なった形状を一体成形した構造であり、更に、傾斜ブロック部分は、傾斜ブロック４−Ｂの上に傾斜ブロック４−Ｃが重なった形状とする。平面台ブロック４−Ａの高さｈ１は、主突出形磁石６の磁極面巾ｔ１にｓｉｎｘを乗じた積の高さとする。ｘ角度は、ピッチ円錐角ｘの角度。式にするとｈ１＝ｓｉｎｘ×ｔ１となる。【００２８】主傾斜台４の底面が、各区分点傾斜線ｊ上と直角線ｋ上に固定した時、図４、図８にあるように、傾斜ブロック４−Ｂは、直角線ｋ位置側面における、台面上縁を傾斜下端位置とし、片側の傾斜側面下端は、傾斜線ｊ位置上として、上昇傾斜する。又、傾斜ブロック４−Ｃは、傾斜線ｊ位置側面の、傾斜ブロック４−Ｂ面上の縁を傾斜下端とし、直角線ｋ位置側面の台面上縁を片側の傾斜側面下端として、上昇傾斜する。傾斜ブロック４−Ｂの傾斜角度ｘ１は、図４〜５にあるようにピッチ円錐角ｘと同角度のｘ１角度で１５度とする。傾斜ブロック４−Ｃの傾斜角度ｘ１は、ピッチ円錐角ｘの２分の１のｙ角度で７．５度とする。【００２９】図６、にあるように、主突出形磁石６の形状は、磁極面を矩形とする。磁極面巾ｔ１は、２区分の時、区分円周ｇ半径の３分の１の巾程度を最適とする。磁極面間方向長さ寸法ｍ１は、磁極面巾ｔ１と同一寸法巾とする。区分点位置の磁極面を前磁極面と称し、反対側の磁極面を後磁極面と称する。前磁極面には、区分点側端に、前突出部分６ａが付き、後磁極面には、区分点側の反対側端に、後突出部６ｂが付く。前突出部６ａと、後突出部６ｂの巾ａは、磁極面巾ｔの３分の１とし、突出長さｂは、磁極面巾ｔの３分の２とする。主突出形磁石６は、図８に示すように、前突出部の付け根端を区分点ｅ位置で、前磁極面下端を傾斜線ｊ位置とし、又、磁極面間方向側面下端を直角線ｋ位置として、主傾斜台面に固定する。磁極面の高さｈ１は、磁極面巾の２〜３倍程度の高さとする。【００３０】前突出部６ａと後突出部６ｂは、本体磁石形状と別々に作った後、接続する。高さ方向は、汎用のフェライト、ネオジュウム磁石では、長さ方向であり、高さ方向は、磁極面間方向となる。汎用では、長さは、巾程度であり、長さを巾の２〜３倍に製作上できないとすれば、２〜３段として積み重ねる事となる。この場合、図７にあるように、主突出形磁石６の底面形と同じ型で、厚さ２〜４ｍｍの継ぎ目用鉄板１３を間に、重ねる。これは、同一磁極の本体磁極面の反発力を消去して接続を容易にし、又、前突出部６ａと後突出部６ｂの接続を容易にする。又、磁場の流れを良くし、回転力を強力にする。各区分点の磁極は、同一磁極、又は、各区分点毎に、Ｎ・Ｓ磁極を変えた配置も良い。又、Ｎ・Ｓ磁極をランダム配置でも良い。【００３１】主傾斜台４の取り付け枠で主突出形磁石６下端が固定された後、図２にあるように、主天盤９が、主軸８に軸穴を通し、ボス部に設けたボルトで固定する。部主天盤９の半径は、主円盤部１ａより、主突出形磁石の高さｈ１に、ｔａｎｘを乗じた積だけ大となる。主天盤９の下部面に主連結部１１が固定され、主突出形磁石４上部端は、主連結部１１の枠部で固定される。主連結台座１１の形状は、図９のように、主傾斜台４とほぼ、同一形状の一体成形構造であり、異なる点は、各傾斜ブロック部分の傾斜方向が、水平に、１８０度回転した位置となっている。取り付けの枠部１１ａは、平面台ブロック４−Ａにあたる底面部に周囲に付く。但し、超電導電磁石の場合は、フランジ部が付き、ボルト穴が設けられ、ボルトで固定する。この様に、主円盤部１ａ上にこうした機器を固定した構成により、主円盤回転車１とする。【００３２】又、副円盤部２ａの各区分点には、図２にあるように、副傾斜台５が、底面角を区分点位置とし、又、底面２辺を傾斜線ｊ上と直角線ｋ上として、副円盤部２ａ面上に、固定される。副傾斜台５上には副突出形磁石７を固定する。【００３３】図９〜図１０のように、副傾斜台５は、高さ部分を構成する平面台ブロック５−Ｄ上に、傾斜部分を構成する傾斜台ブロック部分が重なった形状を一体成形した構造であり、更に、傾斜ブロック部分は、傾斜ブロック５−Ｅ上に、傾斜ブロック５−Ｆが重なる形状とする。平面台ブロック５−Ｄの高さｈ２は、平面台ブロック４−Ａ高さｈ１と同じとする。【００３４】副傾斜台５が区分点の定位置に固定した時、図１０、図１３にあるように、傾斜ブロック５−Ｅは、直角線ｋ位置側面における、台面上縁を傾斜下端位置とし、片側の傾斜側面下端は、傾斜線ｊ位置として、上昇傾斜する。傾斜ブロック５−Ｆは、平面台ブロックＤ面上の区分点位置角上に、傾斜上端角を合わせ、傾斜線ｊ位置側面における、台面上縁を傾斜上端位置とし、片側の傾斜側面下端は、直角線ｋ位置として、下降傾斜する。傾斜ブロック５−Ｅの傾斜角ｘ１は、ピッチ円錐角ｘ角度と同角度のｘ１で、１５度とする。傾斜ブロック５−Ｆの傾斜角１は、ピッチ円錐角ｘ角度の２分の１のｙで、７．５度とする。【００３５】図１２のように、副突出形磁石７の形状は、磁極面を矩形とし、磁極面巾ｔ２と磁極面間方向の長さ寸法ｍ２と磁極面の高さｈ２は、主突出形磁石６の磁極面巾ｔ１と磁極面間方向寸法ｍ１、磁極面の高さｈ１と各々、同じ寸法とする。区分点位置側磁極面を前磁極面と称し、反対側の磁極面を後磁極面と称する。前磁極面には、区分点位置側端に、前突出部７ａが突き出る。後磁極面には、区分点位置側の反対側端に、後突出部７ｂが突き出る。前突出部７ａと、後突出部７ｂの巾ａは、副突出形磁石７の磁極面巾ｔ２の３分の１とし、前突出部７ａと後突出部７ｂの突出長さｂは、副突出形磁石の磁極面巾の３分の２とする。副突出形磁石７は、図１３に示すように、前突出部分の付け根端を区分点ｅ位置で、前磁極面下端を傾斜線ｊ位置で、又、磁極面間方向側面下端を直角線ｋ位置として、副傾斜台面に固定する。【００３６】前突出部分と後突出部分は、本体磁石形状と別々に作った後、接続する。高さ方向は、汎用のフェライト、ネオジュウム磁石では、長さ方向であり、高さ方向は、磁極面間方向となる。汎用では、長さは、巾程度であり、長さを巾の２〜３倍に製作上できないとすれば、２〜３段として積み重ねる。この場合、図７にあるように、副突出形磁石の底面形と同じ型で、厚さ２〜４ミリメートルの継ぎ目用鉄板１３を間に、重ねる。これは、上下の同極の磁極面と、前突出部分と後突出部分の接続を容易にし、また、磁場の流れを良く安定して、回転力を強力にする。各区分点の前磁極面の磁極は、主円盤部１ａの各区分点の表磁極が同一Ｎ磁極であれば、同一のＮ磁極で配置し、主円盤部１ａの表磁極が各区分点毎にＮ・Ｓ磁極を変えれば、同じく、各区分点毎に同一磁極となるようＮ・Ｓ磁極を変える。主円盤部１ａがＮ・Ｓ磁極をランダムに配置した時、同じ順序でランダムに、Ｎ・Ｓ磁極を配置する。【００３７】副傾斜台５の取り付け枠で副突出形磁石７下端が固定された後、図２にあるように、副天盤１０が、主軸８に軸穴を通し、ボス部に設けたボルトにより、主軸に固定する。更に、この副天盤１０の下部面に副連結部１２を固定し、副連結部１２の枠部１２ａで固定される。副天盤１０の半径は、副円盤部２ａより、副突出形磁石の高さｈに、ｔａｎｘを乗じた積だけ大となる。副連結部１２の形状は、図１４にあるように、副傾斜台５とほぼ同一形状の一体成形構造であり、異なる点は、各傾斜ブロック部分の傾斜方向が、各々、水平に、１８０度回転した位置となる。取り付けの枠部１２ａは、平面台ブロック５−Ｄにあたる底面部に周囲に付く。超電導電磁石の場合は、フランジ部が付き、ボルト穴が設けられ、ボルトにより固定する。副円盤部２ａ上にこうした機器を固定した構成で、副円盤回転車２とする。【００３８】主円盤回転車１と副円盤回転車２は、図２にあるように、装置容器１４のスラスト軸受１５とラジアル軸受１６に、各主軸８を支持し、各笠歯車３を噛み合わせる。噛み合わせ位置は、図１にあるように、主円盤部の区分点を共通中心線０−０線上の最接近点に位置させ、副円盤部の区分点は、同じく共通中心線０−０線上の最接近点位置より、回転方向に、主突出形磁石の磁極面巾ｈ１と同じ巾をずらした位置で、笠歯車を噛み合わせる。この時、主円盤部１ａの各区分点と対応する副円盤部２ａの各磁極は、同一磁極とする。主円盤回転車１の装置容器１４外に出た主軸８に、ディスクブレーキ装置１７を付け、その後に、軸継手１８接続する。又、軸継手１８の上部に基礎取台１９を固定し、その上に、クラッチ２０を固定する。軸継手１８を出た軸はクラッチ２０に接続する。更に、基礎取り付け台１９上に、発電機取り付け台２１を固定し、台上に、発電機２２を固定する。発電機２２軸は、クラッチ２０に接続する。又、副円盤回転車２の副天盤１０の上面に、フライホイール２３を設ける。こうした構造を特徴の磁力回転発電装置。【００３９】図１５〜図１９は、本発明の第１の実施の回転原理の説明図であり、図１と同じ位置による図である。【００４０】図１５は、主突出形磁石６（Ａ）の区分点が、共通中心線０−０の最接近点より、中心角で７５度手前の位置する図である。この時、主突出形磁石６（Ａ）の前突出部分のＮ磁極と、副突出形磁石７（Ｃ）の後磁極面のＳ極に吸引力が作用し、主突出形磁石６（Ａ）にＰ１の回転力と、副突出形磁石７（Ｃ）にＰ２の回転力が生じ、主円盤は、矢印方向の右回転し、副円盤は、左回転し、次図位置に回転する。【００４１】図１６は、主突出形磁石６（Ａ）の区分点が、共通中心線０−０の最接近点より、中心角で３０度手前の位置する図である。この位置では、前図のＰ１の回転力は、逆回転力となる為、消滅する。Ｐ２の回転力は、主突出形磁石６（Ａ）の、前突出部分のＮ磁極に、逆回転力が作用するが、主突出形磁石６（Ａ）の、前突出部分のＮ磁極と、副突出形磁石７（Ｃ）前突出部分のＮ磁極との反発力により、副突出形磁石７（Ｃ）に回転力が作用し、逆回転力を打ち消す為、回転を持続する。【００４２】図１７は、主突出形磁石６（Ａ）の区分点が、共通中心線０−０の最接近点位置とした図である。この位置では、主突出形磁石６（Ａ）の、前突出部分のＮ磁極と、副突出形磁石７（Ｃ）の後磁極面のＳ磁極は、同位置となり、回転力Ｐ２は消滅するが、今度は、主突出形磁石６（Ａ）の前突出部分のＮ磁極と、副突出形磁石７（Ｃ）の後突出部分のＳ極の吸引力により、回転力Ｐ３が作用して、次図まで回転する。主突出形磁石６（Ａ）に逆回転力が作用するが、主突出形磁石６（Ａ）の前突出部分のＮ磁極と、副突出形磁石７（Ｃ）の前突出部分のＮ極の反発力により、副突出形磁石７（Ｃ）に回転力が、打ち消す。【００４３】図１８は、主突出形磁石６（Ａ）の区分点が、共通中心線０−０の最接近点より、中心角で４５度通過した位置する図である。この位置で、回転力Ｐ３は、消滅する。主突出形磁石６（Ａ）の後突出部分の磁極Ｓと、副突出形磁石７（Ｃ）の後突出部分の磁極Ｓとの反発力で、副突出形磁石７（Ｃ）にするＰ４の回転力が作用する。【００４４】図１９は、主突出形磁石６（Ａ）の区分点が、共通中心線０−０の最接近点より、中心角で６０度通過した位置する図である。この位置では、回転力Ｐ４は、持続する。又、主突出形磁石６（Ａ）の後磁極面の磁極Ｓと、副突出形磁石７（Ｃ）の後突出部分の磁極Ｓとの反発力で、副突出形磁石７（Ｃ）に作用してＰ５の回転力と、主突出形磁石６（Ａ）に回転力Ｐ６が作用する。Ｐ４、Ｐ５とＰ６の回転力は、０−０の最接近点より、中心角で９０度通過した位置まで作用する。これが主突出形磁石６（Ａ）の１区分点間の１サイクルの作動であり、これにより、次の区分点の主突出形磁石６（Ｂ）は、図４の始めの位置となり、次区分点の回転力サイクルとなり、永久回転を行なう。この回転原理は、ピッチ円錐角ｘが２０度、２５度、３０度に於ても同じとする。【００４５】回転を停止する時は、ディスクブレーキを掛ければ停止する。最起動の時、クラッチを切り、ディスクブレーキを外せば、回転は起動し、ある程度回転数が上がった時点で、クラッチを繋げる。停止が長時間とする為に、ディスクブレーキにロック装置を設ける。発明本体図は、すべて竪型としたが、ネオジュウムやフェライト磁石では、横型でも可能。【００４６】図２０〜図２１は、笠歯車３のピッチ円錐角ｘを３０度とした本発明の第２の実施の形態に係る図である。図２０は発明本体図であり、図２１のＢ−Ｂ線方向の主円盤回転車部分断面と、Ｃ−Ｃ線方向の副円盤回転車部分の断面であり、各々、主突出形磁石下端面部分と、副突出形磁石下端面部分を透視し、合成した断面透視平面図。（但し、磁石底面は、傾斜台上に位置する為、位置が変化するが、多少である為、省略し、平面にあるとして描いている）図２１は図２０のＡ−Ａ線方向の断面立面図である。【００４７】図２０に示すように、主円盤回転車１と副円盤回転車２は、笠歯車３のピッチ円錐角ｘを３０度とする。主、副各円盤部１ａ、２ａの直径外周より、少し内側に、同一直径の区分円周ｇを描き、３区分数で区分円周ｇを等区分し、各区分点とする。【００４８】図２０にあるように、主円盤の各区分点より、回転方向に、接線ｆを引き、接線ｆを基準として、６０度の傾斜角αで、傾斜線ｊを区分点より引き、又、この傾斜線ｊに対する、直角線ｋを区分点より回転方向に引き、描く。【００４９】又、図２０のように、副円盤の各区分点より、回転方向に、接線ｆ���引き、接線ｆを基準として、７５度の傾斜角βで、傾斜線ｊを区分点より引き、又、この傾斜線ｊに対する直角線ｋを区分点より引き、描く。【００５０】図４〜５にあるように  主傾斜台４の傾斜ブロック４−Ｂの傾斜角度ｘ１は、ピッチ円錐角ｘと同角度をｘ１角度とするので３０度とする。傾斜ブロック４−Ｃの傾斜角度ｘ１は、ピッチ円錐角ｘの２分の１のｙ角度とするので１５度とする。【００５１】図１０〜１１にあるように、傾斜ブロック５−Ｅの傾斜角ｘ１は、ピッチ円錐角ｘ角度と同角度をｘ１角度とするので、３０度とする。傾斜ブロック５−Ｆの傾斜角１は、ピッチ円錐角ｘ角度の２分の１のｙ角度とするので、１５度とする。【００５２】図２２〜図２３は、主突出形磁石６と副突出形磁石７を超電導電磁石とした、本発明の第３の実施の形態に係る図である。図２２は発明本体図２３のＢ−Ｂ線方向の主円盤回転車１部分断面と、Ｃ−Ｃ線方向の副円盤回転車２部分の断面であり、各々、主突出形磁石６底面面部分と、副突出形磁石底面面部分を透視し、合成した断面透視平面図。（但し、磁石底面は、傾斜台上に位置する為、位置が変化するが、多少である為、省略し、平面にあるとして描いている）図２３は発明本体図２２のＡ−Ａ線方向の断面立面図。【００５３】図２３に示すように、主円盤回転車１と副円盤回転車２は、笠歯車３のピッチ円錐角ｘを１５度であり、２区分数で区分円周ｇを等区分し、各区分点とする。笠歯車３のピッチ円錐角ｘを１５度とするのは、成る可く、冷凍機２４を水平とする為である。【００５４】主突出形磁石６と副突出形磁石７を超電導電磁石とする時、各々、突出形磁石形状に巻いたコイルを突出形磁石形状のヘリウム容器に入れ封じ、その上部に、主連結部１１と副連結部１２を固定し、その上部面に、ヘリウム容器に入った冷凍機２４を設ける。各ヘリウム容器より、ヘリウムガス配管を再液化用冷凍機２４のヘリウム容器に接続する。こうした全体を真空容器で覆った構成を超電導電磁石の主突出形磁石６副突出形磁石７とする。主、副各突出形磁石上端の固定は、主、副各天盤９，１０をその中心にあく軸穴を主軸に通し、ボス部のボルトにより、主軸に固定し、冷凍機部の真空容器を主天盤と副天盤に下部を固定する。【００５５】主円盤回転車１と副円盤回転車２内に冷却用の冷凍機の電力は、装置容器外から供給するために、主軸８に円筒形電通接触面２５を設け、円筒形電通接触面２５に接する、ブラシ保持器２６は、装置容器１４側の軸受保持部分に付ける。ブラシは、プラス側とマイナス側が付いている。冷凍機２４の性能が、遠心力により、影響を与える時は、発電機２２とクラッチ２０の間に、変速機を設けて主、副各円盤回転車の回転を下げる。こうした構造を特徴とする磁力回転発電装置。
【産業上の利用可能性】
【００５６】超電導電磁石による大電力発電が可能となり、長距離送電設備も必要なく都市部に、少スペースで、発電設備を設ける事ができる。超電導電磁石の強力発電と軽量化により、半永久無充電によるモーターによるプロペラ回転による大型航空機も可能となる。又、同じく船舶の航行も可能となる。安価な電力による海水の淡水化が可能となる。安価なフェライト磁石によって、電気自動車の無充電走行が可能となる。同じく、山岳偏狭地の全ての必要電力を小型で、安価で供給する事ができる。ネオジュウム磁石やフェライト磁石により、超小型の発電機が可能となり、蓄電器と組み合わせ、２系統で交互に切り替える事により、ロボットの電源とし、半永久的無充電による補助介護用ロボットも可能となる。
【図面の簡単な説明】
【００５７】
【図１】図１は発明本体図２のＢ−Ｂ線方向の主円盤回転車部分断面と、Ｃ−Ｃ線方向の副円盤回転車部分の断面であり、各々、主突出形磁石下端面部分と、副突出形磁石下端面部分を透視し、合成した断面透視平面図。（但し、磁石底面は、傾斜台上に位置する為、位置が変化するが、多少である為、省略し、平面にあるとして描いている）
【図２】図２は発明本体図１のＡ−Ａ線方向の断面立面図。
【図３】図３は発明本体図２のＤ−Ｄ線方向の断面側面図である。
【図４】図４は、区分点位置に主傾斜台４を固定した時の斜視図。
【図５】図５は、主傾斜台４を各ブロックに分解した時の斜視図。
【図６】図６、は主突出形磁石６の斜視図。
【図７】図７は、継ぎ目用鉄板１３の斜視図。
【図８】図８は、区分点位置に主傾斜台４を固定し、台上に主突出形磁石６を固定した時の斜視図
【図９】図９は、主連結部１１の斜視図である。
【図１０】図１０は、区分点位置に副傾斜台５を固定した時の斜視図。
【図１１】図１１は、副傾斜台５の各ブロックに分解した時の斜視図。
【図１２】図１２は、副突出形磁石７の斜視図。
【図１３】図１３は、区分点位置に副傾斜台５を固定し、台上に副突出形磁石７を固定した時の斜視図。
【図１４】図１４は、副連結部１２の斜視図である。
【図１５】図１５は、本発明の第１の実施の回転原理の説明図であり、図１と同じ位置による図であり、図１５は、主突出形磁石６（Ａ）の区分点が、共通中心線０−０の最接近点より、中心角で７５度手前の位置する図である。
【図１６】図１６は、図１５と同じ回転原理の説明図であり、主突出形磁石６（Ａ）の区分点が、共通中心線０−０の最接近点より、中心角で３０度手前の位置する図である。
【図１７】図１７は、図１５と同じ回転原理の説明図であり、主突出形磁石６（Ａ）の区分点が、共通中心線０−０の最接近点位置とした図である。
【図１８】図１８は、図１５と同じ回転原理の説明図であり、主突出形磁石６（Ａ）の区分点が、共通中心線０−０の最接近点より、中心角で４５度通過した位置する図である。
【図１９】図１９は、図１５と同じ回転原理の説明図であり、主突出形磁石６（Ａ）の区分点が、共通中心線０−０の最接近点より、中心角で６０度通過した位置する図である。
【図２０】図２０は本発明の第２の実施の形態に係る発明本体図であり、図２１のＢ−Ｂ線方向の主円盤回転車部分断面と、Ｃ−Ｃ線方向の副円盤回転車部分の断面であり、各々、主突出形磁石底面部分と、副突出形磁石底面部分を透視し、合成した断面透視平面図。（但し、磁石底面は、傾斜台上に位置する為、位置が変化するが、多少である為、省略し、平面にあるとして描いている）
【図２１】は本発明の第２の実施の形態に係る図であり、図２０のＡ−Ａ線方向の断面立面図である。
【図２２】図２２は主突出形磁石６と副突出形磁石７を超電導電磁石とした、本発明の第３の実施の形態に係る図であり、発明本体図２３のＢ−Ｂ線方向の主円盤回転車１部分断面と、Ｃ−Ｃ線方向の副円盤回転車２部分の断面であり、各々、主突出形磁石６底面面部分と、副突出形磁石底面面部分を透視し、合成した断面透視平面図。（但し、磁石底面は、傾斜台上に位置する為、位置が変化するが、多少の為、省略し、平面にあるとして描いている）
【図２３】図２３は、主突出形磁石６と副突出形磁石７を超電導電磁石とした、本発明の第３の実施の形態に係る図であり、発明本体図２２のＡ−Ａ線方向の断面立面図。
【符号の説明】
【００５８】１            主円盤回転車
１ａ          主円盤部
２            副円盤回転車
２ａ          副円盤部
３            笠歯車
４            主傾斜台
４−Ａ        平面台ブロック
４−Ｂ        傾斜台ブロック
４−Ｃ        傾斜台ブロック
５            副傾斜台
５−Ｄ        平斜台ブロック
５−Ｅ        傾斜台ブロック
５−Ｆ        傾斜台ブロック
６            主突出形磁石
６ａ          前突出部分
６ｂ          後突出部分
７            副突出形磁石
７ａ          前突出部分
７ｂ          後突出部分
８            主軸
９            主天盤
１０          副天盤
１１          主連結部
１１ａ        枠部
１２          副連結部
１２ａ        枠部
１３          継ぎ目用鉄板
１４          装置容器
１５          スラスト軸受
１６          ラジアル軸受
１７          ディスクブレーキ
１８          軸継手
１９          基礎取り付け台
２０          クラッチ
２１          発電機取り付け台
２２          発電機
２３          フライホィール
２４          冷凍機
２５          円筒形電通接触面
２６          ブラシ保持器
【図１】
2011125209.tif 000003
【図２】
2011125209.tif 000004
【図３】
2011125209.tif 000005
【図４】
2011125209.tif 000006
【図５】
2011125209.tif 000007
【図６】
2011125209.tif 000008
【図７】
2011125209.tif 000009
【図８】
2011125209.tif 000010
【図９】
2011125209.tif 000011
【図１０】
2011125209.tif 000012
【図１１】
2011125209.tif 000013
【図１２】
2011125209.tif 000014
【図１３】
2011125209.tif 000015
【図１４】
2011125209.tif 000016
【図１５】
2011125209.tif 000017
【図１６】
2011125209.tif 000018
【図１７】
2011125209.tif 000019
【図１８】
2011125209.tif 000020
【図１９】
2011125209.tif 000021
【図２０】
2011125209.tif 000022
【図２１】
2011125209.tif 000023
【図２２】
2011125209.tif 000024
【図２３】
2011125209.tif 000025
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
主円盤回転車と副円盤回転車は、同一直径の円盤部と、円盤面中心部の下部をボス部とし、各円盤面中心にあく軸穴に主軸を通し、キー等により固定する。又、各円盤部外周部下部に、円盤部直径より、少し、大きめで同一直径、同一歯数としたの笠歯車を円盤部外周下部面にボルト等で固定とする。笠歯車のピッチ円錐角は、１５度より、５度間隔で、２０度、２５度、３０度、３５度、４０度、４５度より任意に選択する事ができる。主、副各円盤部面外周より、少し内側に、同一直径の区分円周ｇを描き、主に、２区分、３区分、４区分より、任意に選択した区分数で、区分円周ｇを等区分し各区分点とする。区分数は、磁極面巾を減じていけば、４区分以上に増す事ができる。主円盤部面は、区分円周ｇの各区分点より、回転方向に、接線ｆを引き、接線ｆを基準として、笠歯車のピッチ円錐角ｘが１５度の時、傾斜角αを６０度として、傾斜線ｊを区分点より引き、又、この傾斜線ｊに対する直角線ｋを区分点より引く。又、５度間隔で、笠歯車のピッチ円錐角ｘが２０度から、２５度、３０度、３５度、４０度、４５度の時、各々、傾斜角αは、全て、６０度とし、各々、傾斜線ｊを区分点より引き、又、この傾斜線ｊに対する直角線ｋを区分点より引く。又、副円盤部面は、区分円周ｇの各区分点より、回転方向に、接線ｆを引き、接線ｆを基準として、笠歯車のピッチ円錐角ｘが１５度の時、傾斜角βを９０度として、傾斜線ｊを区分点より引き、又、この傾斜線ｊに対する直角線ｋを区分点より引く。又、笠歯車のピッチ円錐角ｘが２０度の時、βを８５度、笠歯車のピッチ円錐角ｘが２５度の時、βを８０度、笠笠歯車のピッチ円錐角ｘが３０度の時、βを７５度とし、笠笠歯車のピッチ円錐角ｘが３５度の時、βを７０度とし、笠笠歯車のピッチ円錐角ｘが４０度の時、βを６５度とし、笠笠歯車のピッチ円錐角ｘが４５度の時、βを６０度とし、各々、傾斜線ｊを区分点より引き、又、この傾斜線ｊに対する直角線ｋを区分点より引く。主円盤部面の各区分点の傾斜線ｊ上と直角線ｋ上に、主傾斜台が、底面２辺位置として、主円盤部面に固定される。副円盤部面の各区分点の傾斜線ｊ上と直角線ｋ上に、副傾斜台が、底面２辺位置として、副円盤部面に固定される。主傾斜台は、一体成形であり、分解できないが、分解できるとして説明すると、高さ部分を構成する、平面台ブロックＡの上に、傾斜部分を構成する傾斜台ブロック部分が重なった形状を一体成形した構造であり、更に、傾斜ブロック部分は、傾斜ブロックＢの上に傾斜ブロックＣが重なった形状とする。平面台ブロックＡは、平面形が矩形であり、高さは、主突出形磁石の磁極面巾にｓｉｎｘを乗じた積の高さとする。（ｘは、選択したピッチ円錐角ｘの角度）平面台ブロックＡの底面角を各区分点位置とし、又、底面の１辺は、傾斜線ｊ上に合わせ、もう１辺は、直角線ｋ線上に合わせて、主円盤面に固定する。傾斜ブロックＢは、平面台ブロックＡ面上の区分点位置角を、傾斜下端角位置で、直角線ｋ位置上における、台面縁を傾斜下端位置とし、片側の傾斜側面下端は、傾斜線ｊ位置上の縁として、上昇傾斜する。又、傾斜ブロックＣは、傾斜線ｊ位置側面の傾斜ブロックＢ面上の縁を傾斜下端とし、傾斜線ｊ位置側面の台面上縁を片側の傾斜側面下端として、上昇傾斜する。傾斜ブロックＢの傾斜角度は、選択したピッチ円錐角ｘ角度と同角度とする。傾斜ブロックＣの傾斜角度は、選択したピッチ円錐角ｘ角度の２分の１角度とする。傾斜ブロックＣ上面の傾斜線ｊ方向と、直角線ｋ方向の寸法は、主突出形磁石の磁極面巾ｔ１と同じ寸法巾とする。副円盤部面の各区分点の傾斜線ｊ上と直角線ｋ上には、副傾斜台の底面２辺位置として、副傾斜台が、副円盤部面に固定される。副傾斜台は、一体成形であり、分解できないが、分解できるとして説明すると、高さ部分を構成する平面台ブロックＤの上に、傾傾斜部分を構成する傾斜台ブロック部分が重なった形状を一体成形した構造であり、更に、傾斜ブロック部分は、傾斜ブロックＥの上に傾斜ブロックＦが重なった形状とする。傾斜平面台ブロックＤは、平面形が矩形であり、高さは、主傾斜台における平面台ブロックＡの高さと同じ高さとする。平面台ブロックＤの底面角を各区分点位置とし、又、底面の１辺は、傾斜線ｊ上に合わせ、もう１辺は、直角線ｋ線上に合わせて、副円盤部面に固定する。傾斜ブロックＥは、平面台ブロックＤ面上の区分点位置角上に傾斜下端角位置で、直角線ｋ位置側面における、台面上の縁を傾斜下端位置とし、傾斜線ｊ位置側面の台面上縁を片側の傾斜側面下端として、上昇傾斜する。傾斜ブロックＦは、平面台ブロックＤ面上の区分点位置角上に、傾斜上端角を合わせ、傾斜線ｊ位置側面における、台面上の縁を傾斜上端位置とし、直角線ｋ位置側面の台面上縁を片側の傾斜側面下端として、下降傾斜する。傾斜ブロックＥは、選択したピッチ円錐角ｘ角度と同角度とする。傾斜ブロックＦの傾斜角度は、の２分の１角度とする。選択したピッチ円錐角ｘ角度ブロックＦ上面の傾斜線ｊ方向と、直角線ｋ方向の寸法は、副主突出形磁石の磁極面巾と同じ寸法巾とする。主突出形磁石と副突出形磁石の本体磁石形状は、全く同形であるが、各区分点に固定した各傾斜台上に固定する時、区分点位置側の突出位置が逆となる。主突出形磁石と副突出形磁石の磁極面を矩形とし、磁極面巾は、磁力が１テスラ程度までの時、区分数を２区分の時、区分円周ｇ半径の約３分の１程度が最適とする。区分数を２区分以上とする時、２区分の磁極面巾の約２０％を１区分毎に、減じた磁極面巾とする。超電導電磁石の時、磁力が１０テスラ、或いは、２０テスラと強力となる時、その磁極面巾は、区分円周ｇ半径の約４分の１、５分の１、或いは、それ以上の最適整数分の１とする。磁極面間方向の長さ寸法は、磁極面巾と同一寸法とする。区分点位置の磁極面を前磁極面と称し、反対側の磁極面を後磁極面と称する。主突出形磁石では、前磁極面は、区分点の反対側端に、前突出部分が突きだし、後磁極面は、区分点側端に、後突出部分が突き出る。副突出形磁石では、前磁極面は、区分点側端に、前突出部分が突きだし、後磁極面は、区分点の反対側端に、後突出部分が突き出る。前突出部分と後突出部分の巾は、主突出形磁石の磁極面巾の３分の１又は、２分の１とし、突出長さは、主突出形磁石の磁極面巾の３分の２とする。主突出形磁石は、前磁極面角を区分点位置で、前磁極面下端を傾斜線ｊ位置とし、又、磁極面間方向側面下端を直角線ｋ位置として、主傾斜台面に固定する。副突出形磁石は、前突出部分の付け根端を区分点位置で、前磁極面下端を傾斜線ｊ位置とし、又、磁極面間方向側面下端を直角線ｋ位置として、副傾斜台面に固定する。磁極面の高さｈ１、ｈ２は、磁極面巾の２〜３倍程度の高さとする。前突出部分と後突出部分は、本体磁石形状と別々に作り、接続する。本発明では磁極面高さを磁極面巾の２〜３倍程度の高さとする。このため、磁石は、２〜３段として積み重ねて高さ方向を高くしなければならない。この場合、主突出形磁石の底面形と同じ型で、厚さ２〜４ｍｍの鉄板を磁石間に敷き、接着剤で固定し、重ねる。主円盤の各区分点の前磁極面の磁極は、同一磁極、又は、各区分点毎に、Ｎ・Ｓ磁極を変える配置でも良い。又、Ｎ・Ｓ磁極をランダムに配置しても良い。又、副円盤の各区分点の前磁極面の磁極は、主円盤の各区分点の表磁極が同一Ｎ磁極であれば、同一のＮ磁極で配置し、主円盤３の表磁極が各区分点毎にＮ・Ｓ磁極を変えれば、同じく、各区分点毎に同一磁極となるようＮ・Ｓ磁極を変える。主円盤がＮ・Ｓ磁極をランダムに配置した時、同じ順序でランダムに、同一磁極としてＮ・Ｓ磁極を配置する。主傾斜台と副傾斜台上に固定された主突出形磁石と副突出形磁石上端の固定は、主天盤と副天盤中心にあく軸穴に各主軸を通し、各ボス部のボルトにより、各主、副天盤は、主軸に固定され、この各主、副天盤の下部面に各主、副連結部を固定し、各主副、連結部の枠部で各主、副突出形磁石は、固定される。各主、副天盤の半径は、各主、副円盤より、主突出形磁石の高さに、主傾斜台の高さを加えた和にｔａｎｘを乗じた積だけ大となる。主、副連結部の形状は、各々、主、副傾斜台とほぼ、同一形状の一体成形構造であるが、異なる点は、各傾斜ブロック部分の傾斜方向が、各々、水平に、１８０度回転した位置となっている。こうした構成により、主円盤回転車と副円盤回転車とする。笠歯車と主、副各円盤部は、磁力に反応しない耐久性のあるステンレス材質、或いは、アルミニュウムの表面を摩耗力のある新素材で覆った複合材の笠歯車としなければならない。又、大型機種の超電導電磁石の場合は、主軸も磁力に反応しないステンレス等の材質としなければならない。主円盤回転車と副円盤回転車は、装置容器の軸受に、各主軸を支持し、笠歯車を噛み合わせる。噛み合わせ位置は、主円盤部の区分点を共通中心線０−０線上の最接近点に位置させ、副円盤部の区分点は、同じく共通中心線０−０線上の最接近点位置より、回転方向に、主突出形磁石の磁極面巾ｔ１と同じ巾をずらした位置として、笠歯車を噛み合わせる。この時、主円盤の各区分点と対応する副円盤の各磁極は、同一磁極とする。主円盤回転車の主軸は、装置容器外で、ディスクブレーキ装置を付ける。又、装置容器上に、基礎取り付け台を固定し、その台上に、クラッチを固定する。ディスクブレーキ装置を出た主軸に、軸継手接続し、軸継手を出た軸は、クラッチに接続する。更に、基礎取り付け台上に、発電機取り付け台を固定し、台上に、発電機を固定し、発電機軸は、クラッチに接続する。又、副回転笠歯車の副天盤の上面に、フライホイールを設ける。こうした構造を特徴とする磁力回転発電装置。
【請求項２】
主突出形磁石６と副突出形磁石７を超電導電磁石とする時、各々、突出形磁石形状に巻いたコイルを突出形磁石形状のヘリウム容器に入れ封じ、その上部に、主連結部と副連結部を固定し、その上部面に、ヘリウム容器に入った冷凍機を設ける。各ヘリウム容器より、ヘリウムガス配管を再液化用冷凍機のヘリウム容器に接続する。こうした全体を真空容器で覆った構成を超電導電磁石の主突出形磁石副突出形磁石とする。主、副各突出形磁石上端の固定は、主、副各天盤をその中心にあく軸穴を主軸に通し、ボス部のボルトにより、主軸に固定し、冷凍機部の真空容器を主天盤と副天盤に下部を固定する。主円盤回転車と副円盤回転車内に冷却用の冷凍機の電力は、装置容器外から供給するために、主軸に円筒形電通接触面を通し、円筒形電通接触面に接する、ブラシ保持器は、装置容器側の軸受保持部分に付ける。ブラシは、プラス側とマイナス側が付いている。冷凍機の性能が、遠心力により、影響を与える時は、発電機とクラッチの間に、変速機を設けて主、副各円盤回転車の回転を下げる。こうした構造を特徴とする請求項１記載の磁力回転発電装置。
【手続補正２】
【補正対象書類名】明細書
【補正対象項目名】全文
【補正方法】変更
【補正の内容】
【発明の詳細な説明】
【技術分野】
【０００１】この発明は、一対の噛み合う笠歯車上の円盤面周囲区分点に、磁石を固定し、磁石相互間に、作用する吸引力と、反発力とによって回転力とし、発電機を回転させ電力を得る装置であり、電気自動車、船舶、鉄道、ロボット、宇宙航空、農業用、公共用、家庭用等の電源として用いる。
【背景技術】
【０００２】従来、我国の発明家湊弘平氏により、一対の平歯車を噛み合わせ、上に、円盤面を付け、円盤面周囲に磁石を固定し、磁石の反発力によって回転力とし、発電機を回転し、電力を得る磁力発電装置が、１９８７年頃にテレビ等で発表され、永久機関の可能性を示した。１９８７年になると、雑誌に、実用化間近で、回転する装置の写真付きの記事が載っている。しかし、耐久性に問題があったせいか、実用化はされなかった。しかし、その後、回転円盤面に配置した磁石と、固定した電磁石による磁力発電装置を発明し、４０か国以上の国際特許を得ている。他に、米国の発明家トロイ・リード氏の磁力発電装置がある。これは、実用として完成されていて、かなりの発電量がある。しかし、装置が大型で複雑であり、耐久性も未知数である。
【発明の開示】
【発明が解決しょうとする課題】
【０００３】主円盤回転車と副円盤回転車は、笠歯車で噛み合わせ、各円盤面の外周囲を２区分、又は、３区分、４区分で等区分とし、その各位置に磁石数を配置固定する為、構造がシンプルであり、超小型装置や、逆に、超大型装置が可能であり、永久磁石のみだけではなく、超電導電磁石を用いて、大電力を得る事ができる構造とする。回転原理に無理がなく、高精度にする事無く回転が可能の為、耐久性のある構造とする。対向する磁石の吸引力と、反発力の全てを回転力に転換する回転原理として、強力回転力とする。
【課題を解決するための手段】
【０００４】主円盤回転車と副円盤回転車は、同一直径の円盤部と、円盤面中心部の下部をボス部とし、各円盤面中心にあく軸穴に主軸を通し、キー等により固定する。又、各円盤部外周部下部に、円盤部直径より、少し、大きめで同一直径、同一歯数としたの笠歯車を円盤部外周下部面にボルト等で固定とする。笠歯車のピッチ円錐角は、１５度より、５度間隔で、２０度、２５度、３０度、３５度、４０度、４５度より任意に選択する事ができる。主、副各円盤部面外周より、少し内側に、同一直径の区分円周ｇを描き、主に、２区分、３区分、４区分より、任意に選択した区分数で、区分円周ｇを等区分し各区分点とする。区分数は、磁極面巾を減じていけば、４区分以上に増す事ができる。
【０００５】主円盤部面は、区分円周ｇの各区分点より、回転方向に、接線ｆを引き、接線ｆを基準として、笠歯車のピッチ円錐角ｘが１５度の時、傾斜角αを６０度として、傾斜線ｊを区分点より引き、又、この傾斜線ｊに対する直角線ｋを区分点より引く。又、５度間隔で、笠歯車のピッチ円錐角ｘが２０度から、２５度、３０度、３５度、４０度、４５度の時、各々、傾斜角αは、全て、６０度とし、各々、傾斜線ｊを区分点より引き、又、この傾斜線ｊに対する直角線ｋを区分点より引く。
【０００６】又、副円盤部面は、区分円周ｇの各区分点より、回転方向に、接線ｆを引き、接線ｆを基準として、笠歯車のピッチ円錐角ｘが１５度の時、傾斜角βを９０度として、傾斜線ｊを区分点より引き、又、この傾斜線ｊに対する直角線ｋを区分点より引く。又、笠歯車のピッチ円錐角ｘが２０度の時、βを８５度、笠歯車のピッチ円錐角ｘが２５度の時、βを８０度、笠笠歯車のピッチ円錐角ｘが３０度の時、βを７５度とし、笠笠歯車のピッチ円錐角ｘが３５度の時、βを７０度とし、笠笠歯車のピッチ円錐角ｘが４０度の時、βを６５度とし、笠笠歯車のピッチ円錐角ｘが４５度の時、βを６０度とし、各々、傾斜線ｊを区分点より引き、又、この傾斜線ｊに対する直角線ｋを区分点より引く。
【０００７】主円盤部面の各区分点の傾斜線ｊ上と直角線ｋ上に、主傾斜台が、底面２辺位置として、主円盤部面に固定される。副円盤部面の各区分点の傾斜線ｊ上と直角線ｋ上に、副傾斜台が、底面２辺位置として、副円盤部面に固定される。
【０００８】主傾斜台は、一体成形であり、分解できないが、分解できるとして説明すると、高さ部分を構成する、平面台ブロックＡの上に、傾斜部分を構成する傾斜台ブロック部分が重なった形状を一体成形した構造であり、更に、傾斜ブロック部分は、傾斜ブロックＢの上に傾斜ブロックＣが重なった形状とする。平面台ブロックＡは、平面形が矩形であり、高さは、主突出形磁石の磁極面巾にｓｉｎｘを乗じた積の高さとする。ｘ度は、選択したピッチ円錐角ｘの角度。平面台ブロックＡの底面角を各区分点位置とし、又、底面の１辺は、傾斜線ｊ上に合わせ、もう１辺は、直角線ｋ線上に合わせて、主円盤面に固定する。
【０００９】傾斜ブロックＢは、平面台ブロックＡ面上の区分点位置角を、傾斜下端角位置で、直角線ｋ位置上における、台面縁を傾斜下端位置とし、片側の傾斜側面下端は、傾斜線ｊ位置上の縁として、上昇傾斜する。又、傾斜ブロックＣは、傾斜線ｊ位置側面の傾斜ブロックＢ面上の縁を傾斜下端とし、傾斜線ｊ位置側面の台面上縁を片側の傾斜側面下端として、上昇傾斜する。傾斜ブロックＢの傾斜角度は、選択したピッチ円錐角ｘ角度と同角度とする。傾斜ブロックＣの傾斜角度は、選択したピッチ円錐角ｘ角度の２分の１角度とする。傾斜ブロックＣ上面の傾斜線ｊ方向と、直角線ｋ方向の寸法は、主突出形磁石の磁極面巾ｔ１と同じ寸法巾とする。
【００１０】副円盤部面の各区分点の傾斜線ｊ上と直角線ｋ上には、副傾斜台の底面２辺位置として、副傾斜台が、副円盤部面に固定される。副傾斜台は、一体成形であり、分解できないが、分解できるとして説明すると、高さ部分を構成する平面台ブロックＤの上に、傾傾斜部分を構成する傾斜台ブロック部分が重なった形状を一体成形した構造であり、更に、傾斜ブロック部分は、傾斜ブロックＥの上に傾斜ブロックＦが重なった形状とする。傾斜平面台ブロックＤは、平面形が矩形であり、高さは、主傾斜台における平面台ブロックＡの高さと同じ高さとする。
【００１１】平面台ブロックＤの底面角を各区分点位置とし、又、底面の１辺は、傾斜線ｊ上に合わせ、もう１辺は、直角線ｋ線上に合わせて、副円盤部面に固定する。傾斜ブロックＥは、平面台ブロックＤ面上の区分点位置角上を傾斜下端角位置で、直角線ｋ位置側面における、台面上の縁を傾斜下端位置とし、傾斜線ｊ位置側面の台面上縁を片側の傾斜側面下端として、上昇傾斜する。傾斜ブロックＦは、平面台ブロックＤ面上の区分点位置角上に、傾斜上端角を合わせ、傾斜線ｊ位置側面における、台面上の縁を傾斜上端位置とし、直角線ｋ位置側面の台面上縁を片側の傾斜側面下端として、下降傾斜する。傾斜ブロックＥは、選択したピッチ円錐角ｘ角度と同角度とする。傾斜ブロックＦの傾斜角度は、の２分の１角度とする。選択したピッチ円錐角ｘ角度ブロックＦ上面の傾斜線ｊ方向と、直角線ｋ方向の寸法は、副主突出形磁石の磁極面巾と同じ寸法巾とする。
【００１２】主突出形磁石と副突出形磁石の本体磁石形状は、全く同形であるが、各区分点に固定した各傾斜台上に固定する時、区分点位置側の突出位置が逆となる。主突出形磁石と副突出形磁石の磁極面を矩形とし、磁極面巾は、磁力が１テスラ程度までの時、区分数を２区分の時、区分円周ｇ半径の約３分の１程度が最適とする。区分数を２区分以上とする時、２区分の磁極面巾の約２０％を１区分毎に、減じた磁極面巾とする。超電導電磁石の時、磁力が１０テスラ、或いは、２０テスラと強力となる時、その磁極面巾は、区分円周ｇ半径の約４分の１、５分の１、或いは、それ以上の最適整数分の１とする。
【００１３】磁極面間方向の長さ寸法は、磁極面巾と同一寸法とする。区分点位置の磁極面を前磁極面と称し、反対側の磁極面を後磁極面と称する。主突出形磁石では、前磁極面には、区分点の反対側端に、前突出部分が突きだし、後磁極面には、区分点側端に、後突出部分が突き出る。副突出形磁石では、前磁極面には、区分点側端に、前突出部分が突きだし、後磁極面には、区分点の反対側端に、後突出部分が突き出る。
【００１４】前突出部分と後突出部分の巾は、主突出形磁石の磁極面巾の３分の１、又は、２分の１とし、突出長さは、主突出形磁石の磁極面巾の３分の２とする。主突出形磁石は、前磁極面角を区分点位置で、前磁極面下端を傾斜線ｊ位置とし、又、磁極面間方向側面下端を直角線ｋ位置として、主傾斜台面に固定する。副突出形磁石は、前突出部分の付け根端を区分点位置で、前磁極面下端を傾斜線ｊ位置とし、又、磁極面間方向側面下端を直角線ｋ位置として、副傾斜台面に固定する。
【００１５】磁極面の高さｈ１、ｈ２は、磁極面巾の２〜３倍程度の高さとする。前突出部分と後突出部分は、本体磁石形状と別々に作り、接続する。本発明では磁極面高さを磁極面巾の２〜３倍程度の高さとする。このため、磁石は、２〜３段として積み重ねて高さ方向を高くしなければならない。この場合、主突出形磁石の底面形と同じ型で、厚さ２〜４ｍｍの鉄板を積み重ねの間に敷き、接着剤で固定し、重ねる。
【００１６】主円盤の各区分点の前磁極面の磁極は、同一磁極、又は、各区分点毎に、Ｎ・Ｓ磁極を変える配置でも良い。又、Ｎ・Ｓ磁極をランダムに配置しても良い。又、副円盤の各区分点の前磁極面の磁極は、主円盤の各区分点の表磁極が同一Ｎ磁極であれば、同一のＮ磁極で配置し、主円盤３の表磁極が各区分点毎にＮ・Ｓ磁極を変えれば、同じく、各区分点毎に同一磁極となるようＮ・Ｓ磁極を変える。主円盤がＮ・Ｓ磁極をランダムに配置した時、同じ順序でランダムに、同一磁極としてＮ・Ｓ磁極を配置する。
【００１７】主傾斜台と副傾斜台上に固定された主突出形磁石と副突出形磁石上端の固定は、主天盤と副天盤中心にあく軸穴に各主軸を通し、各ボス部のボルトにより、各主、副天盤は、主軸に固定され、この各主、副天盤の下部面に各主、副連結部を固定し、各主副、連結部の枠部で各主、副突出形磁石は、固定される。各主、副天盤の半径は、各主、副円盤より、主突出形磁石の高さに、主傾斜台の高さを加えた和にｔａｎｘを乗じた積だけ大となる。主、副連結部の形状は、各々、主、副傾斜台とほぼ、同一形状の一体成形構造であるが、異なる点は、各傾斜ブロック部分の傾斜方向が、各々、水平に、１８０度回転した位置となっている。こうした構成により、主円盤回転車と副円盤回転車とする。
【００１８】笠歯車と主、副各円盤部は、磁力に反応しない耐久性のあるステンレス材質、或いは、アルミニュウムの表面を摩耗力のある新素材で覆った複合材の笠歯車としなければならない。又、大型機種の超電導電磁石の場合は、主軸も磁力に反応しないステンレス等の材質としなければならない。主円盤回転車と副円盤回転車は、装置容器の軸受に、各主軸を支持し、笠歯車を噛み合わせる。噛み合わせ位置は、主円盤部の区分点を共通中心線０−０線上の最接近点に位置させ、副円盤部の区分点は、同じく共通中心線０−０線上の最接近点位置より、回転方向に、主突出形磁石の磁極面巾ｔ１と同じ巾をずらした位置として、笠歯車を噛み合わせる。この時、主円盤の各区分点と対応する副円盤の各磁極は、同一磁極とする。主円盤回転車の主軸は、装置容器外で、ディスクブレーキ装置を付ける。又、装置容器上に、基礎取り付け台を固定し、その台上に、クラッチを固定する。ディスクブレーキ装置を出た主軸に、軸継手接続し、軸継手を出た軸は、クラッチに接続する。更に、基礎取り付け台上に、発電機取り付け台を固定し、台上に、発電機を固定し、発電機軸は、クラッチに接続する。又、副回転笠歯車の副天盤の上面に、フライホイールを設ける。こうした構造を特徴とする磁力回転発電装置。
【００１９】主突出形磁石６と副突出形磁石７を超電導電磁石とする時、各々、突出形磁石形状に巻いたコイルを突出形磁石形状のヘリウム容器に入れ封じ、その上部に、主連結部と副連結部を固定し、その上部面に、ヘリウム容器に入った冷凍機を設ける。各ヘリウム容器より、ヘリウムガス配管を再液化用冷凍機のヘリウム容器に接続する。こうした全体を真空容器で覆った構成を超電導電磁石の主突出形磁石副突出形磁石とする。主、副各突出形磁石上端の固定は、主、副各天盤をその中心にあく軸穴を主軸に通し、ボス部のボルトにより、主軸に固定し、冷凍機部の真空容器を主天盤と副天盤に下部を固定する。主円盤回転車と副円盤回転車内に冷却用の冷凍機の電力は、装置容器外から供給するために、主軸に円筒形電通接触面を通し、円筒形電通接触面に接する、ブラシ保持器は、装置容器側の軸受保持部分に付ける。ブラシは、プラス側とマイナス側が付いている。冷凍機の性能が、遠心力により、影響を与える時は、発電機とクラッチの間に、変速機を設けて主、副各円盤回転車の回転を下げる。こうした構造を特徴とする請求項１記載の磁力回転発電装置。
【発明の効果】
【００２０】主突出形磁石と副突出形磁石の配置する磁石数を少なくでき、磁場が安定した構成であるためと、噛み合わせ笠歯車の１歯が欠けない限り半永久的に回転出来る耐久性に優れた構成である。又、超電磁導電磁石の製作も可能となり、主円盤直径を２ｍ〜４ｍの大型装置とする事も可能であり、大電力発電が可能となる。逆に、配置する磁石数を少なくできるので、フェライト磁石やネオジュウム磁石では、主円盤直径を数ｃｍの超小型とする事が出来る。
【発明を実施するための最良の形態】
【００２１】以下、本発明の実施の形態を図面に基づき詳細に説明する。【００２２】図１〜図１４は本発明の第１の実施の形態に係る図である。図１は発明本体図２のＢ−Ｂ線方向の主円盤回転車部分断面と、Ｃ−Ｃ線方向の副円盤回転車部分の断面であり、各々、主突出形磁石下端面部分と、副突出形磁石下端面部分を透視し、合成した断面透視平面図。（但し、磁石底面は、傾斜台上に位置する為、位置が変化するが、多少である為、省略し、平面にあるとして描いている）図２は、発明本体図１のＡ−Ａ線方向の断面立面図。図３は、発明本体図２のＤ−Ｄ線方向の断面側面図である。図４は、区分点位置における主傾斜台４の斜視図。図５は、主傾斜台４を各ブロックに分解した時の斜視図。図６は、主突出形磁石６の斜視図。図７は、継ぎ目用鉄板の斜視図。図８は、主傾斜台４に、主突出形磁石６を固定し、区分点位置とした時の斜視図。図９は、主連結部１１の斜視図である。図１０は、区分点位置における副傾斜台５の斜視図。図１１は、副傾斜台５の各ブロックに分解した時の斜視図。図１２は、副突出形磁石７の斜視図。図１３は、副傾斜台上に、副突出形磁石を固定し、区分点位置とした時の斜視図。図１４は、副連結部の斜視図である。【００２３】図２に示すように、主円盤回転車１と副円盤回転車２は、同一直径の主、副各円盤面部１ａ，２ａと、主、副各円盤部中心部の下部をボス部とし、円盤面中心にあく軸穴に主軸８を通し、キー、ボルト等により固定し、各円盤部１ａ，２ａ外周部下部に、円盤直径より、少し、大きめで同一直径、同一歯数としたの笠歯車３を各々、主、副各円盤部１ａ，２ａ外周下部面にボルト等で固定する。笠歯車３の歯数は、区分円周ｇの半径が６センチメートルで約５６〜６０歯程度である。笠歯車のピッチ円錐角ｘは、１５度の角度とする。図１にあるように、主、副各円盤部１ａ，２ａ各面外周より、少し内側に、同一直径の区分円周ｇを描き、２区分数で、区分円周ｇを等区分し各区分点ｅとする。【００２４】図１にあるように、主円盤部１ａ面の区分円周ｇの各区分点より、回転方向に、接線ｆを引き、接線ｆを基準として、６０度の傾斜角αで、傾斜線ｊを区分点より引き、又、この傾斜線ｊに対する、直角線ｋを区分点より回転方向に引き、描く。【００２４】図１にあるように、主円盤部１ａ面の区分円周ｇの各区分点より、回転方向に、接線ｆを引き、接線ｆを基準として、６０度の傾斜角αで、傾斜線ｊを区分点より引き、又、この傾斜線ｊに対する、直角線ｋを区分点より回転方向に引き、描く。【００２５】又、図１にあるように、副円盤部２ａ面の区分円周ｇの各区分点より、回転方向に、接線ｆを引き、接線ｆを基準として、９０度の傾斜角βで、傾斜線ｊを区分点より引き、又、この傾斜線ｊに対する直角線ｋを区分点より引き、描く。【００２６】主円盤部１ａ面の各区分点には、主傾斜台４が、底面角を区分点位置とし、底面２辺を傾斜線ｊ上と直角線ｋ上として、主円盤部１ａ面上に、固定される。主傾斜台４上には主突出形磁石６を固定する。【００２７】図４〜図５にあるように、主傾斜台４は、高さ部分を構成する平面台ブロック４−Ａの上に、傾斜部分を構成する傾斜台ブロック部分が重なった形状を一体成形した構造であり、更に、傾斜ブロック部分は、傾斜ブロック４−Ｂの上に傾斜ブロック４−Ｃが重なった形状とする。平面台ブロック４−Ａの高さｈ１は、主突出形磁石６の磁極面巾ｔ１にｓｉｎｘを乗じた積の高さとする。（ｘ角度は、ピッチ円錐角ｘの角度）式にするとｈ１＝ｓｉｎｘ×ｔ１となる。【００２８】主傾斜台４の底面が、各区分点傾斜線ｊ上と直角線ｋ上に固定した時、図４、図８にあるように、傾斜ブロック４−Ｂは、直角線ｋ位置側面における、台面上縁を傾斜下端位置とし、片側の傾斜側面下端は、傾斜線ｊ位置上として、上昇傾斜する。又、傾斜ブロック４−Ｃは、傾斜線ｊ位置側面の、傾斜ブロック４−Ｂ面上の縁を傾斜下端とし、直角線ｋ位置側面の台面上縁を片側の傾斜側面下端として、上昇傾斜する。傾斜ブロック４−Ｂの傾斜角度ｘ１は、図４〜５にあるようにピッチ円錐角ｘと同角度のｘ１角度で１５度とする。傾斜ブロック４−Ｃの傾斜角度ｘ１は、ピッチ円錐角ｘの２分の１のｙ角度で７．５度とする。【００２９】図６、にあるように、主突出形磁石６の形状は、磁極面を矩形とする。磁極面巾ｔ１は、２区分の時、区分円周ｇ半径の３分の１の巾程度を最適とする。磁極面間方向長さ寸法ｍ１は、磁極面巾ｔ１と同一寸法巾とする。区分点位置の磁極面を前磁極面と称し、反対側の磁極面を後磁極面と称する。前磁極面には、区分点の反対側端に、前突出部分６ａが付き、後磁極面には、区分点側端に、後突出部６ｂが付く。前突出部６ａと、後突出部６ｂの巾ａは、磁極面巾ｔ１の３分の１、又は、２分の１とし、突出長さｂは、磁極面巾ｔ１の３分の２とする。主突出形磁石６は、図８に示すように、前磁極面端角を区分点ｅ位置で、前磁極面下端を傾斜線ｊ位置とし、又、磁極面間方向側面下端を直角線ｋ位置として、主傾斜台面に固定する。磁極面の高さｈ１は、磁極面巾の２〜３倍程度の高さとする【００３０】前突出部６ａと後突出部６ｂは、本体磁石形状と別々に作った後、接続する。本発明の場合、磁極面の高さは、巾の２〜３倍とするので、２〜３段積み重ねる事となる。この場合、図７にあるように、主突出形磁石６の底面形と同じ型で、厚さ２〜４ｍｍの継ぎ目用鉄板１３を磁石間に、重ね接着材で固定する。これは、同一磁極の本体磁極面の反発力を消去して接続を容易にし、又、前突出部６ａと後突出部６ｂの接続を容易にする。又、磁場の流れを良くし、磁場を安定させる。磁極面間方向長さ寸法ｍ１は、磁極面巾ｔ１と同一寸法巾とするので、汎用、或いは、特注での磁極面矩形磁石の磁極面間方向寸法は、磁極面巾の整数分の１とする。各区分点の磁極は、同一磁極、又は、各区分点毎に、Ｎ・Ｓ磁極を変えた配置も良い。又、Ｎ・Ｓ磁極をランダム配置でも良い。【００３１】主傾斜台４の取り付け枠で主突出形磁石６下端が固定された後、図２にあるように、主天盤９が、主軸８に軸穴を通し、ボス部に設けたボルトで固定する。主天盤９の半径は、主円盤部１ａより、主突出形磁石の高さｈ１に主傾斜台４の高さ、を加えた和にｔａｎｘを乗じた積だけ大となる。主天盤９の下部面に主連結部１１が固定され、主突出形磁石４上部端は、主連結部１１の枠部で固定される。主連結台座１１の形状は、図９のように、主傾斜台４とほぼ、同一形状の一体���形構造であり、異なる点は、各傾斜ブロック部分の傾斜方向が、水平に、１８０度回転した位置となっている。取り付けの枠部１１ａは、平面台ブロック４−Ａにあたる底面部に周囲に付く。但し、超電導電磁石の場合は、フランジ部が付き、ボルト穴が設けられ、ボルトで固定する。この様に、主円盤部１ａ上にこうした機器を固定した構成により、主円盤回転車１とする。【００３２】又、副円盤部２ａの各区分点には、図１にあるように、副傾斜台５が、底面角を区分点位置とし、又、底面２辺を傾斜線ｊ上と直角線ｋ上として、副円盤部２ａ面上に、固定される。副傾斜台５上には副突出形磁石７を固定する。【００３３】図１０〜図１１のように、副傾斜台５は、高さ部分を構成する平面台ブロック５−Ｄ上に、傾斜部分を構成する傾斜台ブロック部分が重なった形状を一体成形した構造であり、更に、傾斜ブロック部分は、傾斜ブロック５−Ｅ上に、傾斜ブロック５−Ｆが重なる形状とする。平面台ブロック５−Ｄの高さｈ２は、平面台ブロック４−Ａ高さｈ１と同じとする【００３４】副傾斜台５が区分点の定位置に固定した時、図１０、図１３にあるように、傾斜ブロック５−Ｅは、直角線ｋ位置側面における、台面上縁を傾斜下端位置とし、片側の傾斜側面下端は、傾斜線ｊ位置として、上昇傾斜する。傾斜ブロック５−Ｆは、平面台ブロックＤ面上の区分点位置角上に、傾斜上端角を合わせ、傾斜線ｊ位置側面における、台面上縁を傾斜上端位置とし、片側の傾斜側面下端は、直角線ｋ位置として、下降傾斜する。傾斜ブロック５−Ｅの傾斜角ｘ１は、ピッチ円錐角ｘ角度と同角度のｘ１で、１５度とする。傾斜ブロック５−Ｆの傾斜角ｘ１は、ピッチ円錐角ｘ角度の２分の１のｙで、７．５度とする。仮に、ピッチ円錐角ｘ角度を４５度とした時、ｘ１は４５度、ｙは２２．５度となる【００３５】図１２のように、副突出形磁石７の形状は、磁極面を矩形とし、磁極面巾ｔ２と磁極面間方向の長さ寸法ｍ２と磁極面の高さｈ２は、主突出形磁石６の磁極面巾ｔ１と磁極面間方向寸法ｍ１、磁極面の高さｈ１と各々、同じ寸法とする。区分点位置側磁極面を前磁極面と称し、反対側の磁極面を後磁極面と称する。前磁極面には、区分点位置側端に、前突出部７ａが突き出る。後磁極面には、区分点位置側の反対側端に、後突出部７ｂが突き出る前突出部７ａと、後突出部７ｂの巾ａは、副突出形磁石７の磁極面巾ｔ２の３分の１、又は、２分の１とし、前突出部７ａと後突出部７ｂの突出長さｂは、副突出形磁石の磁極面巾の３分の２とする。即ち、主突出形磁石６と副突出形磁石７は、構造が同じで、単に区分点位置の磁極面の突出位置が反対になるだけである。副突出形磁石７は、図１３に示すように、前突出部分の付け根端を区分点ｅ位置で、前磁極面下端を傾斜線ｊ位置で又、磁極面間方向側面下端を直角線ｋ位置として、副傾斜台面に固定する。【００３６】前突出部分と後突出部分は、本体磁石形状と別々に作った後、接続する。磁極面の高さは、巾の２〜３倍とするので、主突出形磁石６と同じように、２〜３段積み重ねる事となる。この場合、図１２にあるように、副突出形磁石６の底面形と同じ型で、厚さ２〜４ｍｍの継ぎ目用鉄板１３を間に、重ねる。各区分点の前磁極面の磁極は、主���盤部１ａの各区分点の表磁極が同一Ｎ磁極であれば、同一のＮ磁極で配置し、主円盤部１ａの表磁極が各区分点毎にＮ・Ｓ磁極を変えれば、同じく、各区分点毎に同一磁極となるようＮ・Ｓ磁極を変える。主円盤部１ａがＮ・Ｓ磁極をランダムに配置した時、同じ順序でランダムにＮ・Ｓ磁極を配置する。【００３７】副傾斜台５の取り付け枠で副突出形磁石７下端が固定された後、図２にあるように、副天盤１０が、主軸８に軸穴を通し、ボス部に設けたボルトにより、主軸に固定する。更に、この副天盤１０の下部面に副連結部１２を固定し、副連結部１２は、図１４のように枠部１２ａで固定される。副天盤１０の半径は、副円盤部２ａより、副突出形磁石の高さｈ２に副傾斜台４の高さ、を加えた和にｔａｎｘを乗じた積だけ大となる。副突出形磁石の高さｈに、ｔａｎｘを乗じた積だけ大となる。副連結部１２の形状は、図１４にあるように、副傾斜台５とほぼ同一形状の一体成形構造であり、異なる点は、各傾斜ブロック部分の傾斜方向が、各々、水平に、１８０度回転した位置となる。取り付けの枠部１２ａは、平面台ブロック５−Ｄにあたる底面部に周囲に付く。超電導電磁石の場合は、フランジ部が付き、ボルト穴が設けられ、ボルトにより固定する。副円盤部２ａ上にこうした機器を固定した構成で、副円盤回転車２とする。【００３８】主円盤回転車１と副円盤回転車２は、図２にあるように、装置容器１４のスラスト軸受１５とラジアル軸受１６に、各主軸８を支持し、各笠歯車３を噛み合わせる。噛み合わせ位置は、図１にあるように、主円盤部１ａの区分点を共通中心線０−０線上の最接近点に位置させ、副円盤部２ａは、区分点より、逆回転方向に、主突出形磁石の磁極面巾ｈ１と同じ巾ｔをコンパスで区分し、この区分点を共通中心線０−０線上に合わせ、笠歯車を噛み合わせる。これにより、副円盤部２ａの区分点は、主円盤部１ａの区分点より、回転方向にｔ巾ずれる。この時、主円盤部１ａの各区分点と対応する副円盤部２ａの各磁極は、同一磁極とする。主円盤回転車１の装置容器１４外に出た主軸８に、ディスクブレーキ装置１７を付け、その後に、軸継手１８接続する。又、軸継手１８の上部に基礎取台１９を固定し、その上に、クラッチ２０を固定する。軸継手１８を出た軸はクラッチ２０に接続する。更に、基礎取り付け台１９上に、発電機取り付け台２１を固定し、台上に、発電機２２を固定する。発電機２２軸は、クラッチ２０に接続する。又、副円盤回転車２の副天盤１０の上面に、フライホイール２３を設ける。こうした構造を特徴の磁力回転発電装置。【００３９】図１５〜図１９は、本発明の第１の実施の回転原理の説明図であり、図１と同じ位置による図である。【００４０】図１５は、主突出形磁石６（Ａ）の区分点が、共通中心線０−０の最接近点より、中心角で７５度手前に位置する図である。この時、主突出形磁石６（Ａ）のＮ磁極と、副突出形磁石７（Ｃ）の後磁極面のＳ極に吸引力が作用し、主突出形磁石６（Ａ）にＰ１の回転力と、副突出形磁石７（Ｃ）にＰ２の回転力が生じ、主円盤は、矢印方向の右回転し、副円盤は、左回転し、次図位置まで回転力を保持して回転する。【００４１】図１６は、主突出形磁石６（Ａ）の区分点が、共通中心線���−０の最接近点より、中心角で１５度手前に位置する図である。この位置では、前図のＰ１とＰ２の回転力は、共に、主軸８の中心方向となり、消滅する。しかし、主突出形磁石６（Ａ）の、表磁極面のＮ磁極と、副突出形磁石７（Ｃ）後磁極面の前突出部分のＳ極に吸引力が作用し、副突出形磁石７（Ｃ）に回転力Ｐ３が作用し、次図位置でも回転力を保持して回転する。【００４２】図１７は、主突出形磁石６（Ａ）の区分点が、共通中心線０−０の最接近点位置より、中心角で１５度通過した位置図である。この位置では、回転力Ｐ３は回転力を保持する。主突出形磁石６（Ａ）の、表磁極面のＮ磁極と、副突出形磁石７（Ｃ）の後磁極面のＳ磁極は、同位置となり、最接近して強力な吸引力が作用し、回転力に制動力が作用する。しかし、主突出形磁石６（Ａ）の前突出部分のＮ磁極と、副突出形磁石７（Ｃ）の表突出部分のＮ極の反発力により、副突出形磁石７（Ｃ）に回転力Ｐ４が作用して、回転力Ｐ３と共に、制動力に打ち勝ち次図まで回転する。【００４３】図１８は、主突出形磁石６（Ａ）の区分点が、共通中心線０−０の最接近点より、主軸中心角で４５度通過した位置の図である。この位置で、回転力Ｐ３とＰ４は、消滅する。主突出形磁石６（Ａ）の後突出部分の磁極Ｓと、副突出形磁石７（Ｃ）の後突出部分の磁極Ｓとの反発力で、副突出形磁石７（Ｃ）にするＰ５の回転力が作用する。【００４４】図１９は、主突出形磁石６（Ａ）の区分点が、共通中心線０−０の最接近点より、中心角で６５度通過した位置の図である。この位置では、回転力Ｐ５は、持続する。主突出形磁石６（Ａ）の後突出部分の磁極Ｓと、副突出形磁石７（Ｃ）の後突出部分の磁極Ｓとの反発力で、主突出形磁石６（Ａ）にもＰ６の回転力が作用する。Ｐ５とＰ６との回転力は、０−０の最接近点より、中心角で９０度通過した位置まで作用する。これが主突出形磁石６（Ａ）の１区分点間の１サイクルの作動であり、これにより、次の区分点の主突出形磁石６（Ｂ）は、図１５の始めの位置となり、次区分点の回転力サイクルとなり、永久回転を行なう。この回転原理は、ピッチ円錐角ｘが２０度〜４５度に於ても同じとする【００４５】回転を停止する時は、ディスクブレーキを掛ければ停止する。最起動の時、クラッチを切り、ディスクブレーキを外せば、回転は起動し、ある程度回転数が上がった時点で、クラッチを繋げる。停止が長時間とする為に、ディスクブレーキにロック装置を設ける。発明本体図は、すべて竪型としたが、ネオジュウムやフェライト磁石では、横型でも可能である。【００４６】図２０〜図２１は、笠歯車３のピッチ円錐角ｘを３０度とし、区分数を３区分とした本発明の第２の実施の形態に係る図である。図２０は発明本体図であり、図２１のＢ−Ｂ線方向の主円盤回転車部分断面と、Ｃ−Ｃ線方向の副円盤回転車部分の断面であり、各々、主突出形磁石下端面部分と、副突出形磁石下端面部分を透視し、合成した断面透視平面図。（但し、磁石底面は、傾斜台上に位置する為、位置が変化するが、多少である為、省略し、平面にあるとして描いている）図２１は図２０のＡ−Ａ線方向の断面立面図である。【００４７】図２０に示すように、主円盤回転車１と副円盤回転車２は、笠歯車���のピッチ円錐角ｘを３０度とする。主、副各円盤部１ａ、２ａの直径外周より、少し内側に、同一直径の区分円周ｇを描き、３区分数で区分円周ｇを等区分し、各区分点とする。【００４８】図２０にあるように、主円盤の各区分点より、矢印回転方向に、接線ｆを引き、接線ｆを基準として、６０度の傾斜角αで、傾斜線ｊを区分点より引き、又、この傾斜線ｊに対する、直角線ｋを区分点より回転方向に引き、描く。【００４９】又、図２０のように、副円盤の各区分点より、回転方向に、接線ｆを引き、接線ｆを基準として、７５度の傾斜角βで、傾斜線ｊを区分点より引き、又、この傾斜線ｊに対する直角線ｋを区分点より引き、描く。【００５０】図４〜５にあるように  主傾斜台４の傾斜ブロック４−Ｂの傾斜角度ｘ１は、ピッチ円錐角ｘと同角度をｘ１角度とするので３０度とする。傾斜ブロック４−Ｃの傾斜角度ｘ１は、ピッチ円錐角ｘの２分の１のｙ角度とするので１５度とする。【００５１】図１０〜１１にあるように、傾斜ブロック５−Ｅの傾斜角ｘ１は、ピッチ円錐角ｘ角度と同角度をｘ１角度とするので、３０度とする。傾斜ブロック５−Ｆの傾斜角１は、ピッチ円錐角ｘ角度の２分の１のｙ角度とするので、１５度とする。【００５２】図２２〜図２３は、主突出形磁石６と副突出形磁石７を超電導電磁石とした、本発明の第３の実施の形態に係る図である。図２２は発明本体図２３のＢ−Ｂ線方向の主円盤回転車１部分断面と、Ｃ−Ｃ線方向の副円盤回転車２部分の断面であり、各々、主突出形磁石６底面面部分と、副突出形磁石底面面部分を透視し、合成した断面透視平面図。（但し、磁石底面は、傾斜台上に位置する為、位置が変化するが、多少である為、省略し、平面にあるとして描いている）図２３は発明本体図２２のＡ−Ａ線方向の断面立面図。【００５３】図２３に示すように、主円盤回転車１と副円盤回転車２は、笠歯車３のピッチ円錐角ｘを１５度であり、２区分数で区分円周ｇを等区分し、各区分点とする。笠歯車３のピッチ円錐角ｘを１５度とするのは、成る可く、冷凍機２４を水平とする為である。【００５４】主突出形磁石６と副突出形磁石７を超電導電磁石とする時、各々、突出形磁石形状に巻いたコイルを突出形磁石形状のヘリウム容器に入れ封じ、その上部に、主連結部１１と副連結部１２を固定し、その上部面に、ヘリウム容器に入った冷凍機２４を設ける。各ヘリウム容器より、ヘリウムガス配管を再液化用冷凍機２４のヘリウム容器に接続する。こうした全体を真空容器で覆った構成を超電導電磁石の主突出形磁石６副突出形磁石７とする。主、副各突出形磁石上端の固定は、主、副各天盤９，１０をその中心にあく軸穴を主軸に通し、ボス部のボルトにより、主軸に固定し、冷凍機部の真空容器を主天盤と副天盤に下部を固定する。【００５５】主円盤回転車１と副円盤回転車２内に冷却用の冷凍機の電力は、装置容器外から供給するために、主軸８に円筒形電通接触面２５を設け、円筒形電通接触面２５に接する、ブラシ保持器２６は、装置容器１４側の軸受保持部分に付ける。ブラシは、プラス側とマイナス側が付いている。冷凍機２４の性能が、遠心力により、影響を与える時は、発電機２２とクラッチ２０の間に、変速機を設けて主、副各円盤回転車���回転を下げる。こうした構造を特徴とする磁力回転発電装置。
【産業上の利用可能性】
【００５６】超電導電磁石による大電力発電が可能となり、長距離送電設備も必要なく都市部に、少スペース、安全で、発電設備を設ける事ができる。超電導電磁石の強力発電と軽量化により、半永久無充電による電動機によるプロペラ回転による大型航空機も可能となる。又、同じく船舶の航行も可能となる。安価な電力による海水の淡水化が可能となる。ネオジュウム磁石やフェライト磁石により、超小型の発電機が可能となり、蓄電器と組み合わせ、２系統で交互に切り替える事により、ロボットの電源とし、半永久的無充電による補助介護用ロボットも可能となる。又、電気自動車の無充電走行が可能となる。
【図面の簡単な説明】
【００５７】
【図１】図１は発明本体図２のＢ−Ｂ線方向の主円盤回転車部分断面と、Ｃ−Ｃ線方向の副円盤回転車部分の断面であり、各々、主突出形磁石下端面部分と、副突出形磁石下端面部分を透視し、合成した断面透視平面図。（但し、磁石底面は、傾斜台上に位置する為、位置が変化するが、多少である為、省略し、平面にあるとして描いている）
【図２】図２は発明本体図１のＡ−Ａ線方向の断面立面図。
【図３】図３は発明本体図２のＤ−Ｄ線方向の断面側面図である。
【図４】図４は、区分点位置に主傾斜台４を固定した時の斜視図。
【図５】図５は、主傾斜台４を各ブロックに分解した時の斜視図。
【図６】図６、は主突出形磁石６の斜視図。
【図７】図７、は継ぎ目用鉄板１３の斜視図。
【００５８】
【図８】図８は、区分点位置に主傾斜台４を固定し、台上に主突出形磁石６を固定した時の斜視図
【図９】図９は、主連結部１１の斜視図である。
【図１０】図１０は、区分点位置に副傾斜台５を固定した時の斜視図。
【図１１】図１１は、副傾斜台５の各ブロックに分解した時の斜視図。
【図１２】図１２は、副突出形磁石７の斜視図。
【図１３】図１３は、区分点位置に副傾斜台５を固定し、台上に副突出形磁石７を固定した時の斜視図。
【００５９】
【図１４】図１４は、副連結部１２の斜視図である。
【図１５】図１５は、本発明の第１の実施の回転原理の説明図であり、図１と同じ位置による図であり、主突出形磁石６（Ａ）の区分点が、共通中心線０−０の最接近点より、中心角で７５度手前位置の図である。
【図１６】図１６は、図１５と同じ回転原理の説明図であり、主突出形磁石６（Ａ）の区分点が、共通中心線０−０の最接近点より、中心角で１５度手前位置の図である。
【図１７】図１７は、図１５と同じ回転原理の説明図であり、主突出形磁石６（Ａ）の区分点が、共通中心線０−０上の最接近点より中心角で１５度通過した位置の図である。
【図１８】図１８は、図１５と同じ回転原理の説明図であり、主突出形磁石６（Ａ）の区分点が、共通中心線０−０の最接近点より、中心角で４５度通過した位置の図である。
【図１９】図１９は、図１５と同じ回転原理の説明図であり、主突出形磁石６（Ａ）の区分点が、共通中心線０−０の最接近点より、中心角で６５度通過した位置の図である。
【００６０】
【図２０】図２０は本発明の第２の実施の形態に係る発明本体図であり、図２１のＢ−Ｂ線方向の主円盤回転車部分断面と、Ｃ−Ｃ線方向の副円盤回転車部分の断面であり、各々、主突出形磁石底面部分と、副突出形磁石底面部分を透視し、合成した断面透視平面図。（但し、磁石底面は、傾斜台上に位置する為、位置が変化するが、多少である為、省略し、平面にあるとして描いている）
【図２１】図２１は本発明の第２の実施の形態に係る図であり、図２０のＡ−Ａ線方向の断面立面図である。
【図２２】図２２は主突出形磁石６と副突出形磁石７を超電導電磁石とした、本発明の第３の実施の形態に係る図であり、発明本体図２３のＢ−Ｂ線方向の主円盤回転車１部分断面と、Ｃ−Ｃ線方向の副円盤回転車２部分の断面であり、各々、主突出形磁石６底面面部分と、副突出形磁石底面面部分を透視し、合成した断面透視平面図。（但し、磁石底面は、傾斜台上に位置する為、位置が変化するが、多少の為、省略し、平面にあるとして描いている）
【図２３】図２３は、主突出形磁石６と副突出形磁石７を超電導電磁石とした、本発明の第３の実施の形態に係る図であり、発明本体図２２のＡ−Ａ線方向の断面立面図。
【符号の説明】
【００６１】１            主円盤回転車
１ａ          主円盤部
２            副円盤回転車
２ａ          副円盤部
３            笠歯車
４            主傾斜台
４−Ａ        平面台ブロック
４−Ｂ        傾斜台ブロック
４−Ｃ        傾斜台ブロック
５            副傾斜台
５−Ｄ        平斜台ブロック
５−Ｅ        傾斜台ブロック
５−Ｆ        傾斜台ブロック
６            主突出形磁石
６ａ          前突出部分
６ｂ          後突出部分
７            副突出形磁石
７ａ          前突出部分
７ｂ          後突出部分
８            主軸
９            主天盤
１０          副天盤
１１          主連結部
１１ａ        枠部
１２          副連結部
１２ａ        枠部
１３          継ぎ目用鉄板
１４          装置容器
１５          スラスト軸受
１６          ラジアル軸受
１７          ディスクブレーキ
１８          軸継手
１９          基礎取り付け台
２０          クラッチ
２１          発電機取り付け台
２２          発電機
２３          フライホィール
２４          冷凍機
２５          円筒形電通接触面
２６          ブラシ保持器
【手続補正３】
【補正対象書類名】図面
【補正対象項目名】全図
【補正方法】変更
【補正の内容】
【図１】
2011125209.tif 000026
【図２】
2011125209.tif 000027
【図３】
2011125209.tif 000028
【図４】
2011125209.tif 000029
【図５】
2011125209.tif 000030
【図６】
2011125209.tif 000031
【図７】
2011125209.tif 000032
【図８】
2011125209.tif 000033
【図９】
2011125209.tif 000034
【図１０】
2011125209.tif 000035
【図１１】
2011125209.tif 000036
【図１２】
2011125209.tif 000037
【図１３】
2011125209.tif 000038
【図１４】
2011125209.tif 000039
【図１５】
2011125209.tif 000040
【図１６】
2011125209.tif 000041
【図１７】
2011125209.tif 000042
【図１８】
2011125209.tif 000043
【図１９】
2011125209.tif 000044
【図２０】
2011125209.tif 000045
【図２１】
2011125209.tif 000046
【図２２】
2011125209.tif 000047
【図２３】
2011125209.tif 000048
【手続補正書】
【提出日】平成22年8月16日(2010.8.16)
【手続補正１】
【補正対象書類名】特許請求の範囲
【補正対象項目名】全文
【補正方法】変更
【補正の内容】
【特許請求の範囲】
【請求項１】
主円盤回転車と副円盤回転車は、同一直径の主、副各円盤部と、その円盤面中心部の下部をボス部とし、各円盤面中心にあく軸穴に主軸を通し、キー等により固定する。又、主、副各円盤部外周部下部に、円盤部直径より、少し、大きめで同一直径、同一歯数とした、笠歯車を円盤部外周下部面にボルト等で固定する。笠歯車のピッチ円錐角は、１５度から５度の間隔で、２０度、２５度、３０度、３５度、４０度、４５度まで選択する事ができる。主、副各円盤部面外周より少し内側に、同一直径の区分円周ｇを描き、主に、２区分、３区分、４区分より、任意に選択した区分数で、区分円周ｇを等区分し各区分点とする。主円盤部面は、区分円周ｇの各区分点より、回転方向に、接線ｆを引き、接線ｆを基準として傾斜角αの傾斜線ｊを区分点より引き、又、この傾斜線ｊに対する直角線ｋを区分点より引く。傾斜線ｊの傾斜角αは、笠歯車のピッチ円錐角ｘが５度間隔で、笠歯車のピッチ円錐角ｘが１５度の時、傾斜線ｊの傾斜角αは、９０度とする。笠歯車のピッチ円錐角ｘが５度間隔で、２０度、２５度、３０度、３５度、４０度、４５度まで、全て、斜角αは９０度とする。副円盤部面は、区分円周ｇの各区分点より、逆回転方向に、接線ｆを引き、接線ｆを基準として傾斜角βの傾斜線ｊを区分点より引き、又、この傾斜線ｊに対する直角線ｋを区分点より引く。笠歯車のピッチ円錐角ｘが５度間隔で、１５度の時、傾斜角βは３０度。２０度の時、傾斜角βは２５度。２５度の時、傾斜角βは２０度。３０度の時、傾斜角βは１５度。３５度の時、傾斜角βは１０度。４０度の時、傾斜角βは５度。４５度の時、傾斜角βは０度、となる。主円盤部面の各区分点に描いた傾斜線ｊ上と直角線ｋ上に、傾斜台の底面２辺位置として、又、副円盤部面の各区分点に描いた傾斜線ｊ上と直角線ｋ上に、傾斜台の底面２辺位置として、各々、主、副円盤部面に固定される。傾斜台の形状は、一体成形であり、分解できないが、分解できるとして説明すると、高さ部分を構成する、平面台ブロックＡの上に、傾斜部分を構成する傾斜台ブロック部分が重なった形状で、更に、傾斜ブロック部分は、傾斜ブロックＢの上に傾斜ブロックＣが重なった形状である。こうした形状を一体成形した構造である。平面台ブロックＡは、平面形が矩形であり、高さは約、突出形磁石の磁極面巾にｓｉｎｘを乗じた積の１．２倍程度の高さとする。（ｘ度は、選択したピッチ円錐角ｘの角度）主円盤部面の区分点に、傾斜台を固定した時、傾斜ブロックＢは、傾斜下端線を直角線ｋ位置とし、又、傾斜側辺下端を傾斜線ｊ位置として上昇傾斜して、平面台ブロックＡ上に重ねる。又、傾斜ブロックＣは、傾斜下端線を傾斜線ｊ位置とし、又、傾斜側辺下端を直角線ｋ位置として上昇傾斜して、傾斜ブロックＢ上に重なる。傾斜ブロックＢの傾斜角度は、選択したピッチ円錐角ｘと同角度とし、傾斜ブロックＣの傾斜角度は、選択したピッチ円錐角ｘの２分の１とする。副円盤部面の区分点に、傾斜台を固定した時、傾斜ブロックＢは、傾斜下端線を直角線ｋ位置とし、又、傾斜側辺下端を傾斜線ｊ位置として上昇傾斜して、平面台ブロックＡ上に重なる位置とし、又、傾斜ブロックＣは、傾斜下端線を傾斜線ｊ位置とし、又、傾斜側辺下端を直角線ｋ位置として上昇傾斜して、傾斜ブロックＢ上に重なる位置とする。主傾斜台と副傾斜台の台面上に、突出形磁石を固定する。突出形磁石の本体磁石形状は、磁極面は、矩形とし、磁極面巾は、（磁力が１テスラ程度までの時）区分数を２区分の時、区分円周ｇ半径の約３分の１から４分の１程度が最適とする。超電導電磁石の時、１０テスラ、２０テスラと高電磁力となる場合、区分円周ｇ半径を５分の１以上とする。突出形磁石の磁極面間方向の長さ寸法は、磁極面巾と同一寸法とする。突出形磁石のＮ極・Ｓ極磁極面の互いの逆位置端に突出部が付く。突出部の巾は、磁極面巾の３分の１の巾とし、突出長さは、突出形磁石の磁極面巾の２分の１とする。主円盤部における、突出形磁石は、前磁極面下端を傾斜線ｊ位置とし、又、磁極面間方向側面下端を直角線ｋ位置として、各々、傾斜台面上に固定する。副円盤部における、突出形磁石は、前磁極面下端を直角線ｋ位置とし、又、磁極面間方向側面下端を傾斜線ｊ位置として、各々傾斜台面上に固定する。本発明に於ては、主円盤部面と副円盤部面の傾斜台上に、突出形磁石を固定した時、区分点位置の磁極面を前磁極面と称し、反対側の磁極面を後磁極面と称する。主円盤部の傾斜台に、突出形磁石を固定した時、前磁極面には、区分点側端に、前突出部が突きだし、後磁極面には、区分点の反対側端に、後突出部が突き出る位置で固定する。副円盤部の傾斜台に、突出形磁石を固定した時、前磁極面には、区分点の反対側端に、前突出部が突きだし、後磁極面には、区分点側端に、後突出部が突き出る位置で固定する。本発明におけるフェライト磁石、ネオジュウム磁石では、突出形磁石本体磁極面の高さは、磁極面巾の２〜３倍程度の高さを最適とする。このため、磁石は、汎用で磁極面巾と高さが同じだとしても、（汎用の長さを、本発明では巾とし、汎用の巾を、本発明では高さとし、汎用の高さを、本発明では磁極面間長さとしている）汎用磁石を２〜３段として積み重ねて高さ方向を高くしなければならない。このため、突出形磁石の底面形と同じ型で、厚さ２〜４ｍｍ鉄板の継ぎ目用鉄板を積み重ねの間に敷き、接着剤等で固定し、本体磁石を重ねる。前突出部と後突出部は本体磁石形状と別々に作り、接続する。主円盤部の各区分点の前磁極面の磁極は、同一磁極、又は、各区分点毎に、Ｎ・Ｓ磁極を変える配置でも良い。又、Ｎ・Ｓ磁極をランダムに配置しても良い。又、副円盤部の各区分点の前磁極面の磁極は、主円盤部の各区分点の前磁極が同一Ｎ磁極であれば、同じＮ磁極で配置し、主円盤部の前磁極が各区分点毎にＮ・Ｓ磁極を変えれば、同じく、各対応区分点毎に同じ磁極となるようＮ・Ｓ磁極を変える。主円盤部が各区分点毎にＮ・Ｓ磁極をランダムに配置した時、同じ順序でランダムに、同じ磁極となるように磁極を配置する。主円盤部の傾斜台と、主円盤部の傾斜台上に固定された突出形磁石上端の固定は、天盤中心の軸穴を、各主軸７に通し、各ボス部のボルトにより、各天盤を各主軸に固定する。この各天盤の下部面に連結部を固定し、各枠部で各主、突出形磁石は、固定される。主連結部９の形状は、主傾斜台４と同一形状の一体成形構造である。枠部９ａは、平面台ブロックＡにあたる下部周囲に設ける。こうした構成により、主円盤回転車１と副円盤回転車２とする。笠歯車と主、副各円盤部、及び、主軸は、磁力に反応しない耐久性のあるステンレス材質とする。特に、笠歯車は、真鍮等で作られた、本体の歯部表面を耐摩耗力のある新素材で覆った複合材とする。又、主円盤回転車と副円盤回転車は、装置容器の各軸受に、各主軸を支持し、笠歯車を噛み合わせる。噛み合わせ位置は、副円盤部の区分円周ｇ上の区分点位置より回転方向に、突出形磁石の磁極面巾ｔの２分の１巾ｚをコンパスに取り、区分し、その位置を噛み合わせ点ｕとし、主円盤部の区分点位置に、副円盤部の噛み合わせ点ｕを位置して、笠歯車を噛み合わせる。主円盤回転車の主軸には、装置容器外で、ディスクブレーキ装置を付ける。又、装置容器上に、基礎取り付け台を固定し、その台上に、クラッチを固定する。ディスクブレーキ装置を出た主軸に、軸継手を接続し、軸継手を出た軸は、クラッチに接続する。基礎取り付け台上に、更に、発電機取り付け台を固定し、台上に、発電機を固定し発電機軸は、クラッチに接続する。又、副回転笠歯車の天盤の上面に、フライホイールを設ける。こうした構造を特徴とする磁力回転発電装置。
【請求項２】
突出形磁石を超電導電磁石とする時、各々、突出形磁石形状に巻いたコイルを突出形磁石形状の容器に入れ、容器にヘリウム入れ封じ、その容器上部は、主連結部と副連結部を固定し、その上部面に、ヘリウム容器に入った冷凍機を設ける。各ヘリウム容器より、ヘリウムガス配管を再液化用冷凍機のヘリウム容器に接続する。こうした全体を真空容器で覆った構成を超電導電磁石の主突出形磁石副突出形磁石とする。突出形磁石上端の固定は各天盤中心にあく軸穴を主軸に通し、ボス部のボルトにより、主軸に固定し、真空容器を各天盤のに下部に固定し、主円盤回転車と副円盤回転車とする。主円盤回転車と副円盤回転車内の冷凍機の電力は、装置容器外から供給するために、主軸に円筒形電通接触面設ける円筒形電通接触面に接する、ブラシのブラシ保持器は、装置容器側の軸受保持部分に付ける。冷凍機の性能が、遠心力により、影響を与える時は、発電機とクラッチの間に、変速機を設けて主、副各円盤回転車の回転を下げる。こうした構造を特徴とする請求項１記載の磁力回転発電装置。
【手続補正２】
【補正対象書類名】明細書
【補正対象項目名】全文
【補正方法】変更
【補正の内容】
【発明の詳細な説明】
【技術分野】
【０００１】この発明は、一対の噛み合う笠歯車上の円盤面周囲区分点に、磁石を固定し、磁石相互間に、作用する吸引力と、反発力とによって回転力とし、発電機を回転させ電力を得る装置であり、電気自動車、船舶、鉄道、ロボット、宇宙航空、農業用、公共用、家庭用等の電源として用いる。
【背景技術】
【０００２】従来、我国の発明家湊弘平氏により、一対の平歯車を噛み合わせ、上に、円盤面を付け、円盤面周囲に磁石を固定し、磁石の反発力によって回転力とし、発電機を回転し、電力を得る磁力発電装置が、１９８７年頃にテレビ等で発表され、永久機関の可能性を示した。１９８７年になると、雑誌に、実用化間近で、回転する装置の写真付きの記事が載っている。しかし、耐久性に問題があったせいか、実用化はされなかった。しかし、その後、回転円盤面に配置した磁石と、固定した電磁石による磁力発電装置を発明し、４０か国以上の国際特許を得ている。他に、米国の発明家トロイ・リード氏の磁力発電装置がある。これは、実用として完成されていて、かなりの発電量がある。しかし、装置が大型で複雑であり、耐久性も未知数である。
【発明の開示】
【発明が解決しょうとする課題】
【０００３】主円盤回転車と副円盤回転車は、笠歯車で噛み合わせ、各円盤面の外周囲を２区分、又は、３区分、４区分で等区分とし、その各位置に磁石数を配置固定する為、構造がシンプルであり、超小型装置や、逆に、超大型装置が可能であり、永久磁石のみだけではなく、超電導電磁石を用いて、大電力を得る事ができる構造とする。回転原理に無理がなく、高精度にする事無く回転が可能の為、耐久性のある構造とする。対向する磁石の吸引力と、反発力の全てを回転力に転換する回転原理として、強力回転力とする。
【課題を解決するための手段】
【０００４】主円盤回転車と副円盤回転車は、同一直径の主、副各円盤部と、その円盤面中心部の下部をボス部とし、各円盤面中心にあく軸穴に主軸を通し、キー等により固定する。又、主、副各円盤部外周部下部に、円盤部直径より、少し、大きめで同一直径、同一歯数とした、笠歯車を円盤部外周下部面にボルト等で固定する。笠歯車のピッチ円錐角は、１５度から５度の間隔で、２０度、２５度、３０度、３５度、４０度、４５度まで選択する事ができる。主、副各円盤部面外周より少し内側に、同一直径の区分円周ｇを描き、主に、２区分、３区分、４区分より、任意に選択した区分数で、区分円周ｇを等区分し各区分点とする。
【０００５】主円盤部面は、区分円周ｇの各区分点より、回転方向に、接線ｆを引き、接線ｆを基準として傾斜角αの傾斜線ｊを区分点より引き、又、この傾斜線ｊに対する直角線ｋを区分点より引く。傾斜線ｊの傾斜角αは、笠歯車のピッチ円錐角ｘが５度間隔で、笠歯車のピッチ円錐角ｘが１５度の時、傾斜線ｊの傾斜角αは、９０度とする。笠歯車のピッチ円錐角ｘが５度間隔で、２０度、２５度、３０度、３５度、４０度、４５度まで、全て、斜角αは９０度とする。
【０００６】副円盤部面は、区分円周ｇの各区分点より、逆回転方向に、接線ｆを引き、接線ｆを基準として傾斜角βの傾斜線ｊを区分点より引き、又、この傾斜線ｊに対する直角線ｋを区分点より引く。笠歯車のピッチ円錐角ｘが５度間隔で、１５度の時、傾斜角βは３０度。２０度の時、傾斜角βは２５度。２５度の時、傾斜角βは２０度。３０度の時、傾斜角βは１５度。３５度の時、傾斜角βは１０度。４０度の時、傾斜角βは５度。４５度の時、傾斜角βは０度、となる。
【０００７】主円盤部面の各区分点に描いた傾斜線ｊ上と直角線ｋ上に、傾斜台の底面２辺位置として、又、副円盤部面の各区分点に描いた傾斜線ｊ上と直角線ｋ上に、傾斜台の底面２辺位置として、各々、主、副円盤部面に固定される。
【０００８】傾斜台の形状は、一体成形であり、分解できないが、分解できるとして説明すると、高さ部分を構成する、平面台ブロックＡの上に、傾斜部分を構成する傾斜台ブロック部分が重なった形状で、更に、傾斜ブロック部分は、傾斜ブロックＢの上に傾斜ブロックＣが重なった形状である。こうした形状を一体成形した構造である。平面台ブロックＡは、平面形が矩形であり、高さは約、突出形磁石の磁極面巾にｓｉｎｘを乗じた積の１．２倍程度の高さとする。（ｘ度は、選択したピッチ円錐角ｘの角度）
【０００９】主円盤部面の区分点に、傾斜台を固定した時、傾斜ブロックＢは、傾斜下端線を直角線ｋ位置とし、又、傾斜側辺下端を傾斜線ｊ位置として上昇傾斜して、平面台ブロックＡ上に重ねる。又、傾斜ブロックＣは、傾斜下端線を傾斜線ｊ位置とし、又、傾斜側辺下端を直角線ｋ位置として上昇傾斜して、傾斜ブロックＢ上に重なる。傾斜ブロックＢの傾斜角度は、選択したピッチ円錐角ｘと同角度とし、傾斜ブロックＣの傾斜角度は、選択したピッチ円錐角ｘの２分の１とする。
【００１０】副円盤部面の区分点に、傾斜台を固定した時、傾斜ブロックＢは、傾斜下端線を直角線ｋ位置とし、又、傾斜側辺下端を傾斜線ｊ位置として上昇傾斜して、平面台ブロックＡ上に重なる位置とし、又、傾斜ブロックＣは、傾斜下端線を傾斜線ｊ位置とし、又、傾斜側辺下端を直角線ｋ位置として上昇傾斜して、傾斜ブロックＢ上に重なる位置とする。
【００１１】主傾斜台と副傾斜台の台面上に、突出形磁石を固定する。突出形磁石の本体磁石形状は、磁極面は、矩形とし、磁極面巾は、（磁力が１テスラ程度までの時）区分数を２区分の時、区分円周ｇ半径の約３分の１から４分の１程度が最適とする。超電導電磁石の時、１０テスラ、２０テスラと高電磁力となる場合、区分円周ｇ半径を５分の１以上とする。
【００１２】突出形磁石の磁極面間方向の長さ寸法は、磁極面巾と同一寸法とする。突出形磁石のＮ極。・Ｓ極磁極面の互いの逆位置端に突出部が付く。突出部の巾は、磁極面巾の３分の１の巾とし、突出長さは、突出形磁石の磁極面巾の２分の１とする。主円盤部における、突出形磁石は、前磁極面下端を傾斜線ｊ位置とし、又、磁極面間方向側面下端を直角線ｋ位置として、各々、傾斜台面上に固定する。副円盤部における、突出形磁石は、前磁極面下端を直角線ｋ位置とし、又、磁極面間方向側面下端を傾斜線ｊ位置として、各々傾斜台面上に固定する。本発明に於ては、主円盤部面と副円盤部面の傾斜台上に、突出形磁石を固定した時、区分点位置の磁極面を前磁極面と称し、反対側の磁極面を後磁極面と称する。
【００１３】主円盤部の傾斜台に、突出形磁石を固定した時、前磁極面には、区分点側端に、前突出部が突きだし、後磁極面には、区分点の反対側端に、後突出部が突き出る位置で固定する。副円盤部の傾斜台に、突出形磁石を固定した時、前磁極面には、区分点の反対側端に、前突出部が突きだし、後磁極面には、区分点側端に、後突出部が突き出る位置で固定する。
【００１４】本発明におけるフェライト磁石、ネオジュウム磁石では、突出形磁石本体磁極面の高さは、磁極面巾の２〜３倍程度の高さを最適とする。このため、磁石は、汎用で磁極面巾と高さが同じだとしても、（汎用の長さを、本発明では巾とし、汎用の巾を、本発明では高さとし、汎用の高さを、本発明では磁極面間長さとしている）汎用磁石を２〜３段として積み重ねて高さ方向を高くしなければならない。このため、突出形磁石の底面形と同じ型で、厚さ２〜４ｍｍ鉄板の継ぎ目用鉄板を積み重ねの間に敷き、接着剤等で固定し、本体磁石を重ねる。前突出部と後突出部は本体磁石形状と別々に作り、接続する。
【００１５】主円盤部の各区分点の前磁極面の磁極は、同一磁極、又は、各区分点毎に、Ｎ・Ｓ磁極を変える配置でも良い。又、Ｎ・Ｓ磁極をランダムに配置しても良い。又、副円盤部の各区分点の前磁極面の磁極は、主円盤部の各区分点の前磁極が同一Ｎ磁極であれば、同じＮ磁極で配置し、主円盤部の前磁極が各区分点毎にＮ・Ｓ磁極を変えれば、同じく、各対応区分点毎に同じ磁極となるようＮ・Ｓ磁極を変える。主円盤部が各区分点毎にＮ・Ｓ磁極をランダムに配置した時、同じ順序でランダムに、同じ磁極となるように磁極を配置する。
【００１６】主円盤部の傾斜台と、主円盤部の傾斜台上に固定された突出形磁石上端の固定は、天盤中心の軸穴を、各主軸７に通し、各ボス部のボルトにより、各天盤を各主軸に固定する。この各天盤の下部面に連結部を固定し、各枠部で各主、突出形磁石は、固定される。主連結部９の形状は、主傾斜台４と同一形状の一体成形構造である。枠部９ａは、平面台ブロックＡにあたる下部周囲に設ける。こうした構成により、主円盤回転車１と副円盤回転車２とする。
【００１７】笠歯車と主、副各円盤部、及び、主軸は、磁力に反応しない耐久性のあるステンレス材質とする。特に、笠歯車は、真鍮等で作られた、本体の歯部表面を耐摩耗力のある新素材で覆った複合材とする。又、主円盤回転車と副円盤回転車は、装置容器の各軸受に、各主軸を支持し、笠歯車を噛み合わせる。噛み合わせ位置は、副円盤部の区分円周ｇ上の区分点位置より回転方向に、突出形磁石の磁極面巾ｔの２分の１巾ｚをコンパスに取り、区分し、その位置を噛み合わせ点ｕとする。主円盤部の区分点位置に、副円盤部の噛み合わせ点ｕを位置して、笠歯車を噛み合わせる。この時、主円盤部の各区分点対応する副円盤部の各磁極は、同じ磁極とする。
【００１８】主円盤回転車の主軸には、装置容器外で、ディスクブレーキ装置を付ける。又、装置容器上に、基礎取り付け台を固定し、その台上に、クラッチを固定する。ディスクブレーキ装置を出た主軸に、軸継手を接続し、軸継手を出た軸は、クラッチに接続する。基礎取り付け台上に、更に、発電機取り付け台を固定し、台上に、発電機を固定し発電機軸は、クラッチに接続する。又、副回転笠歯車の天盤の上面に、フライホイールを設ける。こうした構造を特徴とする磁力回転発電装置。
【００１９】突出形磁石を超電導電磁石とする時、各々、突出形磁石形状に巻いたコイルを突出形磁石形状の容器に入れ、容器にヘリウム入れ封じ、その容器上部は、主連結部と副連結部を固定し、その上部面に、ヘリウム容器に入った冷凍機を設ける。各ヘリウム容器より、ヘリウムガス配管を再液化用冷凍機のヘリウム容器に接続する。こうした全体を真空容器で覆った構成を超電導電磁石の主突出形磁石副突出形磁石とする。突出形磁石上端の固定は各天盤中心にあく軸穴を主軸に通し、ボス部のボルトにより、主軸に固定し、真空容器を各天盤のに下部に固定し、主円盤回転車と副円盤回転車とする。主円盤回転車と副円盤回転車内の冷凍機の電力は、装置容器外から供給するために、主軸に円筒形電通接触面設ける円筒形電通接触面に接する、ブラシのブラシ保持器は、装置容器側の軸受保持部分に付ける。こうした構造を特徴とする請求項１記載の磁力回転発電装置。
【発明を実施するための最良の形態】
【００２０】以下、本発明の実施の形態を図面に基づき詳細に説明する。【００２１】図１〜図１４は本発明の第１の実施の形態に係る図である。図１は発明本体図２のＢ−Ｂ線方向の主円盤回転車部分断面と、Ｃ−Ｃ線方向の副円盤回転車部分の断面であり、各々、突出形磁石下端面部分を透視し、合成した断面透視平面図。（但し、磁石底面は、傾斜台上に位置する為、位置が変化するが、多少である為、省略し、平面にあるとして描いている）図２は、発明本体図１のＡ−Ａ線方向の断面立面図。図３は、発明本体図２のＤ−Ｄ線方向の断面側面図である。図４は、傾斜台４の斜視図。図５は、傾斜台４を各ブロックに分解した時の斜視図。図６は、主円盤部１ａの区分点位置における主傾斜台４の斜視図。図７は、主円盤部１ａの区分点位置における傾斜台４と突出形磁石５の斜視図。図８は、副円盤部２ａの区分点位置における傾斜台４の斜視図。図９は、副円盤部２ａの区分点位置における傾斜台４と突出形磁石５の斜視図。図１０は、突出形磁石５の斜視図。図１１は、継ぎ目用鉄板９の斜視図。図１２は、連結部８の斜視図である。【００２２】図２に示すように、主円盤回転車１と副円盤回転車２は、同一直径の主、副各円盤面部１ａ、２ａと、主、副各円盤部１ａ、２ａ中心部の下部をボス部とし、円盤面中心にあく軸穴に主軸６を通し、キー、ボルト等により固定し、各円盤部１ａ、２ａ外周部下部に、リング状の円盤部直径より少し、大きめで同一直径、同一歯数（笠歯車３の直径が１４ｃｍの時、歯数を６０歯程度とする）とした笠歯車３を各々、主、副各円盤部１ａ、２ａ外周下部面にボルト等で固定する。笠歯車３のピッチ円錐角ｘは、１５度の角度とする。図１にあるように主、副各円盤部１ａ、２ａ各面外周より、少し内側に、同一直径の区分円周ｇを描き、２区分数で、区分円周ｇを等区分し各区分点ｅとする。【００２３】図１に示すように、主円盤部１ａ面は、区分円周ｇの各区分点より、回転方向に、接線ｆを引き、接線ｆを基準として傾斜角αの傾斜線ｊを区分点より引き、又、この傾斜線ｊに対する直角線ｋを区分点より引く。傾斜線ｊの傾斜角αは、９０度とする。【００２４】副円盤部２ａ面は、区分円周ｇの各区分点より、逆回転方向に、接線ｆを引き、接線ｆを基準として傾斜角βの傾斜線ｊを区分点より引き、又、この傾斜線ｊに対する直角線ｋを区分点より引く。笠歯車３のピッチ円錐角ｘが１５度の時、傾斜線ｊの傾斜角βは、３０度とする。【００２５】主円盤部１ａ面の各区分点ｅに描いた傾斜線ｊ上と直角線ｋ上に、傾斜台４の底面２辺位置として、又、副円盤部２ａ面の各区分点ｅに描いた傾斜線ｊ上と直角線ｋ上に、副傾斜台５の底面２辺位置として、各々、主、副円盤部１ａ、２ａ面に固定される。【００２６】傾斜台４の形状は、図４に示すように、一体成形であり、分解できないが、分解できるとして説明すると、図５に示すように、高さ部分を構成する、平面台ブロックＡの上に、傾斜部分を構成する傾斜ブロック部分が重なった形状で、更に、傾斜ブロック部分は、傾斜ブロックＢの上に傾斜ブロックＣが重なった形状である。こうした形状を一体成形した構造である。平面台ブロックＡは、平面形が矩形であり、高さは約、突出形磁石５の磁極面���にｓｉｎｘを乗じた積の１．２倍程度の高さとする。（ｘ度は、選択したピッチ円錐角ｘの角度）【００２７】主円盤部１ａ面の区分点に、傾斜台４を固定した時、図６に示すように、傾斜ブロックＢは、傾斜下端線を直角線ｋ位置とし、又、傾斜側辺下端を傾斜線ｊ位置として上昇傾斜して、平面台ブロックＡ上に重ねる。又、傾斜ブロックＣは、傾斜下端線を傾斜線ｊ位置とし、又、傾斜側辺下端を直角線ｋ位置として上昇傾斜して、傾斜ブロックＢ上に重なる。傾斜ブロックＢの傾斜角度は、図６に示すように、選択したピッチ円錐角ｘと同角度とし、傾斜ブロックＣの傾斜角度は、選択したピッチ円錐角ｘの２分の１とする。【００２８】副円盤部２ａ面の区分点に、傾斜台４を固定した時、傾斜ブロックＢは、図８に示すように、傾斜下端線を直角線ｋ位置とし、又、傾斜側辺下端を傾斜線ｊ位置として上昇傾斜して、平面台ブロックＡ上に重なる位置とし、又、傾斜ブロックＣは、傾斜下端線を傾斜線ｊ位置とし、又、傾斜側辺下端を直角線ｋ位置として上昇傾斜して、傾斜ブロックＢ上に重なる位置とする。【００２９】傾斜台４の台面上に、突出形磁石５を固定する。突出形磁石５の本体磁石形状は、磁極面は、矩形とし、磁極面巾ｔは、（磁力が１テスラ程度までの時）区分数を２区分の時、区分円周ｇ半径の約３分の１から４分の１程度が最適とする。超電導電磁石の時、１０テスラ、２０テスラと高電磁力となる場合、区分円周ｇ半径を５分の１以上とする。【００３０】突出形磁石の磁極面間方向の巾ｍ寸法は、図１０に示すように、磁極面巾ｔと同一寸法とする。突出形磁石のＮ極。・Ｓ極磁極面の互いの逆位置端に突出部５ａ、５ｂが付く。突出部の巾ａは、磁極面巾の３分の１の巾とし、突出長さｂは、突出形磁石の磁極面巾の２分の１とする。主円盤部１ａにおける、突出形磁石５は、図７に示すように、前磁極面下端を傾斜線ｊ位置とし、又、磁極面間方向側面下端を直角線ｋ位置として、各々、傾斜台４面上に固定する。副円盤部２ａにおける、突出形磁石５は、図９に示すように、前磁極面下端を直角線ｋ位置とし、又、磁極面間方向側面下端を傾斜線ｊ位置として、各々傾斜台面上に固定する。本発明に於ては、主円盤部１ａ面と副円盤部２ａ面の傾斜台４上に、突出形磁石５を固定した時、区分点ｅ位置の磁極面を前磁極面と称し、反対側の磁極面を後磁極面と称する。【００３１】主円盤部１ａの傾斜台４に、突出形磁石５を固定した時、図７に示すように、前磁極面には、区分点ｅ側端に、前突出部５ａが突きだし、後磁極面には、区分点ｅの反対側端に、後突出部５ｂが突き出た位置で台面に固定する。。副円盤部２ａの傾斜台４に、突出形磁石５を固定した時、図９に示すように、前磁極面には、区分点ｅの反対側端に、前突出部５ａが突きだし、後磁極面には、区分点ｅ側端に、後突出部５ｂが突き出た位置で台面に固定する。【００３２】本発明では突出形磁石５本体磁極面の高さは、磁極面巾の２〜３倍程度の高さを最適とする。（汎用の長さを、本発明では巾とし、汎用の巾を、本発明では高さとし、汎用の高さを、本発明では磁極面間巾としている）単体磁石を２〜３段として積み重ねて高さ方向を高くしなければならない。このため、図１１に示すように、突出形���石の底面形と同じ型で、厚さ２〜４ｍｍ鉄板の継ぎ目用鉄板を積み重ねの間に敷き、接着剤等で固定し、図１０に示すように、本体磁石を重ねる。本発明では磁極面巾と磁極面間巾同一巾とする為、単体磁石の磁極面間巾は、磁極面巾の整数分の１とする。そうすれば、整数枚重ねれば、本発明の磁極面間巾ｍとする事ができる。前突出部１ａ、２ａと後突出部１ｂ、２ｂは本体磁石と別々に作り、本体磁石に接続する。【００３３】主円盤部１ａの各区分点ｅの前磁極面の磁極は、同一磁極、又は、各区分点ｅ毎に、Ｎ・Ｓ磁極を変える配置でも良い。又、Ｎ・Ｓ磁極をランダムに配置しても良い。又、副円盤部２ａの各区分点ｅの前磁極面の磁極は、主円盤部１ａの各区分点ｅの前磁極が同一Ｎ磁極であれば、同じＮ磁極で配置し、主円盤部１ａの前磁極が各区分点ｅ毎にＮ・Ｓ磁極を変えれば、同じく、各対応区分点ｅ毎に同じ磁極となるようＮ・Ｓ磁極を変える。主円盤部１ａが各区分点毎にＮ・Ｓ磁極をランダムに配置した時、同じ順序でランダムに、同じ磁極となるように磁極を配置する。【００３４】傾斜台４に固定された突出形磁石５上端の固定は、天盤７中心の軸穴を、各主軸６に通し、各ボス部のボルトにより、各天盤７を各主軸６に固定する。この各天盤７の下部面に連結部８を固定し、各枠部８ａ、で突出形磁石５は、固定される。連結部８の形状は、図１２に示すように、傾斜台４と同一形状の一体成形構造であり、枠部８ａは、平面台ブロックＡにあたる下部周囲に設ける。こうした構成により、主円盤回転車１と副円盤回転車２とする。【００３５】笠歯車３と主、副各円盤部１ａ、２ａ及び、主軸６は、磁力に反応しない耐久性のあるステンレス材質、又は、安価な黄銅、アルミ合金等と耐摩耗性や耐久性のある炭素繊維、その他との複合材とする。主円盤回転車と副円盤回転車は、装置容器１０のスラスト軸受１１、ラジアル軸受１２に、各主軸６を支持し、笠歯車３を噛み合わせる。噛み合わせ位置は、図１に示すように、まず、副円盤部２ａの区分円周ｇ上の区分点位置ｅより回転方向に、突出形磁石の磁極面巾ｔの２分の１巾ｚをコンパスに取り、区分し、その位置を噛み合わせ点ｕとする。そして、主円盤部１ａの区分点ｅ位置を、中心線０−０上の最接近点とした時、副円盤部２ａの噛み合わせ点ｕを中心線０−０上位置として、笠歯車３を噛み合わせる。【００３６】主円盤回転車１の主軸６には、装置容器１０外で、ディスクブレーキ装置１３を付ける。又、装置容器１０上に、基礎取り付け台１５を固定し、その台上に、クラッチ１６を固定する。ディスクブレーキ装置１３を出た主軸に、軸継手１４を接続し、軸継手１４を出た軸は、クラッチ１６に接続する。基礎取り付け台１５上に、更に、発電機取り付け台１７を固定し、台上に、発電機１８を固定し発電機１８軸は、クラッチ１６に接続する。又、副回転笠歯車２の天盤７の上面に、フライホイール１９を設ける。こうした構造を特徴とする磁力回転発電装置。【００３７】図１３〜図１７は、本発明の第１の実施の回転原理の説明図であり、図１と同じ位置による図である。ピッチ円錐角ｘの角度は、１５度である。【００３８】図１３は、主円盤部１ａにおける主突出形磁石５（Ａ）の区分点が、共通中心線０−���の最接近点より、中心角θが、４５度手前に位置する図である。この時、主円盤部１ａの突出形磁石（Ａ）の後磁極面前Ｓ極と、副円盤部２ａの突出形磁石５（Ｃ）の前磁極面のＮ極に吸引力が、作用し、突出形磁石５（Ａ）にＰ１の回転力が突出形磁石５（Ｃ）にＰ２作用し、Ｐ１、Ｐ２の回転力により、主円盤部１ａは、矢印方向に右回転し、副円盤部２ａは、左回転し図１４の位置まで回転する。【００３９】図１４は、主円盤部１ａにおける突出形磁石５（Ａ）の区分点が、共通中心線０−０の最接近点より、中心角θが３０度手前に位置する図である。この位置において、副円盤部２ａにおける突出形磁石５（Ｃ）に逆回転力が作用し、Ｐ２の回転力は、消滅する。しかし、突出形磁石５（Ａ）の回転力Ｐ１の回転力は、図１５の位置まで持続回転する。【００４０】図１５は、主円盤部１ａにおける突出形磁石５（Ａ）の区分点が、共通中心線０−０の最接近点より、中心角θが０度位置の図である。前図のＰ１は、突出形磁石５（Ｃ）に逆回転力が作用し、この位置で消滅する。主円盤部１ａにおける突出形磁石５（Ａ）の、前突出部５ａのＮ磁極と、副円盤部２ａにおける突出形磁石５（Ｃ）の前磁極面のＮ磁極に反発力が作用し、主円盤部１ａにおける突出形磁石５（Ａ）に回転力Ｐ３が作用する。副突出形磁石５（Ｃ）の前突出部５ａにかかる逆回転力は、突出形磁石５（Ｃ）の前突出部５ａにかかる反発力が、回転向である為、逆回転力を打ち消してしまう。従って、回転力Ｐ３により、図１６位置まで回転力を保持して回転する。【００４１】図１６は、主円盤部１ａにおける突出形磁石５（Ａ）の区分点が、共通中心線０−０の最接近点より、主軸中心角θが、３０通過した位置の図である。前図のＰ３は、回転力を持続し、この位置で消滅する。主円盤部１ａにおける突出形磁石５（Ａ）の、後磁極面のＳ磁極と、副円盤部２ａにおける副突出形磁石５（Ｃ）の後突出部のＳ磁極に、反発力が作用し、主円盤部１ａにおける主突出形磁石５（Ａ）回転力Ｐ４が作用する。副円盤部２ａの突出形磁石５（Ｃ）にかかる逆回転力は、主突出形磁石５（Ａ）の後突出部のＳ磁極との反発力により、突出形磁石５（Ｃ）が回転方向に作用して、逆回転力を打ち消す。回転力Ｐ４により。図１７位置まで回転力を保持して回転する。【００４２】図１７は、主円盤部１ａにおける突出形磁石５（Ａ）の区分点が、共通中心線０−０の最接近点より、主軸７中心角θが、４５度通過した位置の図である。図１６位置で作用した回転力Ｐ４は、持続する。又、この位置で、突出形磁石５（Ａ）後突出部のＳ極と、突出形磁石５（Ｃ）の後突出部のＳ極との反発力で、突出形磁石５（Ａ）にＰ５の回転力と、突出形磁石５（Ｃ）にも回転力Ｐ６が作用する。回転力Ｐ５と回転力Ｐ６は、共に、主円盤部１ａにおける突出形磁石５（Ａ）の区分点が、０−０の最接近点より、中心角で９０度通過した位置まで作用する。回転力Ｐ４は、０−０の最接近点より、中心角で６０度通過した位置まで作用する。これが主円盤部１ａにおける突出形磁石５（Ａ）の１区分点間の１サイクルの作動であり、これにより、次の区分点の主突出部の突出形磁石６（Ｂ）は、図１５の始めの位置となり、次区分点の回転力サイクルとなり、半永久的回転を行なう。この回転原理は、ピッチ円錐角ｘが２０度〜４５度に於ても同じとする【００４３】回転を停止する時は、クラッチ１６を切り、ディスクブレーキ１３を掛ければ停止する。最起動の時、ディスクブレーキ１３を外せば、回転は起動し、ある程度回転数が上がった時点で、クラッチ１６を繋げる。停止が長時間とする為に、ディスクブレーキ１３にロック装置を設ける。発明本体図は、竪型としたが、ネオジュウムやフェライト磁石では、横型でも可能である。【００４４】図１８〜図１９は、笠歯車３のピッチ円錐角ｘを３０度とし、区分数を３区分とした本発明の第２の実施の形態に係る図である。図１８は、発明本体図であり、図１９のＢ−Ｂ線方向の主円盤回転車１部分断面と、Ｃ−Ｃ線方向の副円盤回転２車部分の断面であり、各々、突出形磁石６下端面部分を透視し、合成した断面透視平面図。（但し、磁石底面は、傾斜台上に位置する為、位置が変化するが、多少である為、省略し、平面にあるとして描いている）図１９は図１８のＡ−Ａ線方向の断面立面図である。【００４５】図１８に示すように、主、副各円盤部１ａ、２ａの直径外周より、少し内側に、同一直径の区分円周ｇを描き、３区分数で区分円周ｇを等区分し、各区分点とする。主円盤部１ａの各区分点より、回転方向に、接線ｆを引き、接線ｆを基準として、傾斜角αは９０度で、傾斜線ｊを区分点より引き、又、この傾斜線ｊに対する直角線ｋを区分点より引き、描く。又、副円盤部２ａの各区分点より、逆回転方向に、接線ｆを引き、接線ｆを基準として、傾斜角βは１５度で、傾斜線ｊを区分点より引き、又この傾斜線ｊに対する直角線ｋを区分点より引き、描く。【００４６】図２０〜図２１は、突出形磁石５を超電導電磁石とした、本発明の第３の実施の形態に係る図である。図２０は、発明本体図２１のＢ−Ｂ線方向の主円盤回転車１部分断面と、Ｃ−Ｃ線方向の副円盤回転車２部分の断面であり、各々、突出形磁石５底面部分を透視し、合成した断面透視平面図。（但し、磁石底面は、傾斜台上に位置する為、位置が変化するが、多少である為、省略し、平面にあるとして描いている）図２１は、発明本体図２０のＡ−Ａ線方向の断面立面図。【００４７】図２１に示すように、主円盤回転車１と副円盤回転車２の笠歯車３のピッチ円錐角ｘは、１５度であり、区分円周ｇ２区分数で等区分し、各区分点とする。笠歯車３のピッチ円錐角ｘを１５度とするのは、冷凍機２０を、より、水平とする為である。図２０に示すように、傾斜角αは、９０度、傾斜角βは、３０度である。図による説明は、主に、笠歯車３のピッチ円錐角ｘが１５度と３０度により行い、他は、省略する。【００４８】突出形磁石５を超電導電磁石とする時、各々、突出形磁石５形状に巻いたコイルを突出形磁石形状のヘリウム容器に入れ封じ、その上部に、連結部８を固定し、その上部面に、ヘリウム容器に入った冷凍機２０を設ける。各ヘリウム容器より、ヘリウムガス配管を再液化用の冷凍機２０のヘリウム容器に接続する。こうした全体を真空容器で覆った構成を超電導電磁石の突出形磁石５とする。各突出形磁石５上端の固定は、天盤７の中心にあく軸穴を主軸６に通し、ボス部のボルトにより、主軸６に固定し、超電導電磁石の突���形磁石６と繋がる真空容器の冷凍機２０部位置で天盤７のに下部に固定する。主円盤回転車１と副円盤回転車２内に冷却用の冷凍機２０の電力は、装置容器１０外から供給するために、主軸６に円筒形電通接触面２１を設け、ブラシ保持器２２のブラシに接する。ブラシ保持器２２は、装置容器１０側の軸受保持部分に付ける。フライホィール１９は、装置容器１０外の主軸６に設ける。こうした構造を特徴とする磁力回転発電装置。
【産業上の利用可能性】
【００４９】超電導電磁石による大電力発電が可能となり、長距離送電設備も必要なく都市部に、少スペース、安全で、発電設備を設ける事ができる。超電導電磁石の強力発電と軽量化により、蓄電器と組み合わせ、２系統で交互に切り替える事により、半永久無充電による電動機によるプロペラ回転による大型航空機も可能となる。ロボットの電源とし、半永久的無充電による補助介護用ロボットも可能となる。又、電気自動車の無充電走行が可能となる。
【図面の簡単な説明】
【００５０】
【図１】図１は発明本体図２のＢ−Ｂ線方向の主円盤回転車部分断面と、Ｃ−Ｃ線方向の副円盤回転車部分の断面であり、各々、主突出形磁石下端面部分と、副突出形磁石下端面部分を透視し、合成した断面透視平面図。（但し、磁石底面は、傾斜台上に位置する為、位置が変化するが、多少である為、省略し、平面にあるとして描いている）
【図２】図２は、発明本体図１のＡ−Ａ線方向の断面立面図。
【図３】図３は、発明本体図２のＤ−Ｄ線方向の断面側面図である。
【図４】図４は、区分点位置に傾斜台４を固定した時の斜視図
【図５】図５は、傾斜台４を各ブロックに分解した時の斜視図。
【図６】図６は、主円盤部１ａの区分点位置に傾斜台４固定した時の斜視図
【図７】図７は、主円盤部１ａ区分点位置に傾斜台４と突出形磁石５を固定した時の斜視図
【図８】図８は、副円盤部２ａの区分点位置に傾斜台４を固定した時の斜視図
【図９】図９は、副円盤部２ａの区分点位置に傾斜台４と突出形磁石５を固定した時の斜視図
【図１０】図１０は、突出形磁石５の斜視図。
【図１１】図１１は、継ぎ目用鉄板９の斜視図。
【図１２】図１２は連結部８の斜視図である。
【００５１】
【図１３】図１３は、本発明の第１の実施の回転原理の説明図であり、図１と同じ位置による図であり、主突出形磁石５（Ａ）の区分点が、共通中心線０−０の最接近点より、中心角θで４５度手前位置の図である。
【図１４】図１４は、図１３より回転し、主突出形磁石５（Ａ）の区分点が、共通中心線０−０の最接近点より、中心角θで３０度手前位置の図である。
【図１５】図１５は、図１４より回転し、主突出形磁石５（Ａ）の区分点が、共通中心線０−０の最接近点上位置の図である。
【図１６】図１６は、図１５より回転し、主突出形磁石５（Ａ）の区分点が、共通中心線０−０の最接近点より、中心角θで３０度通過した位置の図である。
【図１７】図１７は、図１６より回転し、主突出形磁石５（Ａ）の区分点が、共通中心線０−０の最接近点より、中心角θで４５度通過した位置の図である。
【図１８】図１８は、本発明の第２の実施の形態に係る発明本体図であり、図１９のＢ−Ｂ線方向の主円盤回転車部分断面と、Ｃ−Ｃ線方向の副円盤回転車部分の断面であり、各々、主突出形磁石底面部分と、副突出形磁石底面部分を透視し、合成した断面透視平面図。（但し、磁石底面は、傾斜台上に位置する為、位置が変化するが、多少である為、省略し、平面にあるとして描いている）
【図１９】図１９は、図１８のＡ−Ａ線方向の断面立面図である。
【図２０】図２０は、突出形磁石５を超電導電磁石とした、本発明の第３の実施の形態に係る図であり、発明本体図２１のＢ−Ｂ線方向の主円盤回転車１部分断面と、Ｃ−Ｃ線方向の副円盤回転車２部分の断面であり、各々、主突出形磁石５底面面部分と、副突出形磁石底面面部分を透視し、合成した断面透視平面図。（但し、磁石底面は、傾斜台上に位置する為、位置が変化するが、多少の為、省略し、平面にあるとして描いている）
【図２１】図２１は、発明本体図２０のＡ−Ａ線方向の断面立面図。
【符号の説明】
【００５２】１            主円盤回転車
１ａ          主円盤部
２            副円盤回転車
２ａ          副円盤部
３            笠歯車
４            傾斜台
４−Ａ        平面台ブロック
４−Ｂ        傾斜ブロック
４−Ｃ        傾斜ブロック
５            突出形磁石
５ａ          前突出部分
５ｂ          後突出部分
６            主軸
７            天盤
８            連結部
８ａ          枠部
９            継ぎ目用鉄板
１０          装置容器
１１          スラスト軸受
１２          ラジアル軸受
１３          ディスクブレーキ
１４          軸継手
１５          基礎取り付け台
１６          クラッチ
１７          発電機取り付け台
１８          発電機
１９          フライホィール
２０          冷凍機
２１          円筒形電通接触面
２２          ブラシ保持器
【手続補正３】
【補正対象書類名】図面
【補正対象項目名】全図
【補正方法】変更
【補正の内容】
【図１】
2011125209.tif 000049
【図２】
2011125209.tif 000050
【図３】
2011125209.tif 000051
【図４】
2011125209.tif 000052
【図５】
2011125209.tif 000053
【図６】
2011125209.tif 000054
【図７】
2011125209.tif 000055
【図８】
2011125209.tif 000056
【図９】
2011125209.tif 000057
【図１０】
2011125209.tif 000058
【図１１】
2011125209.tif 000059
【図１２】
2011125209.tif 000060
【図１３】
2011125209.tif 000061
【図１４】
2011125209.tif 000062
【図１５】
2011125209.tif 000063
【図１６】
2011125209.tif 000064
【図１７】
2011125209.tif 000065
【図１８】
2011125209.tif 000066
【図１９】
2011125209.tif 000067
【図２０】
2011125209.tif 000068
【図２１】
2011125209.tif 000069